(57)【要約】【課題】光学系の小型・薄型化の達成及び色収差を中心とした諸収差の良好な補正状態の達成を両立できるためのレンズ成分とそれを用い結像光学系を得る。【解決手段】物体側から順に、正の屈折力を有する第１レンズ群G1、負の屈折力を有する第２レンズ群G2、正の屈折力を有する第３レンズ群G3、最終レンズ群GRを含み、また、第１レンズ群G1は正レンズ２枚と負レンズ１枚の３枚が互いに接合された１つのレンズ成分のみからなり、横軸をνd1、及び縦軸をθgF1とする直交座標系において、θgF1＝α1×νd1＋βgF1で表される直線を設定したときに、所定の条件式の範囲の下限値であるときの直線、及び上限値であるときの直線で定まる領域と、別の所定の条件式で定まる領域と、の２つの領域に、前記２枚の正レンズのいずれか一方の正レンズＬAのθgF1及びνd1が含まれる。【選択図】図１
2011065070.tif 000002
【特許請求の範囲】
【請求項１】
物体側から順に、正の屈折力を有する第１レンズ群G1、負の屈折力を有する第２レンズ群G2、正の屈折力を有する第３レンズ群G3、最終レンズ群GRを含み、
前記第１レンズ群G1は正レンズ２枚と負レンズ１枚の３枚が互いに接合された１つのレンズ成分のみからなり、
横軸をνd1、及び縦軸をθgF1とする直交座標系において、
θgF1＝α1×νd1＋βgF1
で表される直線を設定したときに、
以下の条件式（１）の範囲の下限値であるときの直線、及び上限値であるときの直線で定まる領域と、以下の条件式（２）で定まる領域と、の２つの領域に、
前記２枚の正レンズのいずれか一方の前記正レンズＬAのθgF1及びνd1が含まれることを特徴とする結像光学系。
０．７７００＜βgF1＜０．８７００  …（１）
１０＜νd1＜２７                   …（２）
ここで、
α1＝−０．００５６６、
θgF1は前記正レンズＬAの部分分散比（ｎg1−ｎF1）／（ｎF1−ｎC1）、
νd1は前記正レンズＬAのアッベ数（ｎd1−1）／（ｎF1−ｎC1）、
ｎd1、ｎC1、ｎF1、ｎg1は、前記正レンズＬAの各々ｄ線、Ｃ線、Ｆ線、ｇ線の屈折率、
である。
【請求項２】
前記直交座標とは別の、横軸をνd1、及び縦軸をθhg1とする直交座標系において、
θhg1＝αhg1×νd1＋βhg1
で表される直線を設定したときに、以下の条件式（３）の範囲の下限値であるときの直線、及び上限値であるときの直線で定まる領域と、以下の条件式（２）で定まる領域と、の２つの領域に、
前記２枚の正レンズのいずれか一方の前記正レンズＬAのθhg1及びνd1が含まれることを特徴とする請求項１に記載の結像光学系。
０．８０００＜βhg1＜０．９０００  …（３）
１０＜νd1＜２７                   …（２）
ここで、
αhg1＝−０．００８３４、
θhg1は前記正レンズＬAの部分分散比（ｎh1−ｎg1）／（ｎF1−ｎC1）、
ｎh1は前記正レンズＬAのｈ線の屈折率、
である。
【請求項３】
前記正レンズＬAの一方の面が正レンズＬBと、他方の面が負レンズＬCと接合されており、
前記正レンズＬAと前記正レンズＬBとは接合面Ａは非球面であり、
以下の条件式（４）を満足することを特徴とする請求項１又は請求項２に記載の結像光学系。
２０＜νd2−νd1＜９０  …（４）
ここで、
νd2は前記正レンズＬBのアッベ数（ｎd2−1）／（ｎF2−ｎC2）、
ｎd2、ｎC2、ｎF2は前記正レンズＬBの各々ｄ線、Ｃ線、Ｆ線の屈折率、
である。
【請求項４】
前記正レンズＬAと前記正レンズＬBとは接合面Ａを有し、前記正レンズＬBは空気接触面Ｂを有し、前記負レンズＬCは空気接触面Ｃを有し、
光軸方向をｚ、光軸に垂直な方向をｈとする座標軸とし、Ｒを球面成分の光軸上における曲率半径、Kを円錐定数、Ａ4，Ａ6，Ａ8，Ａ10・・・を非球面係数として、非球面の形状を、以下の式（５）で表すと共に、
ｚ＝（ｈ2／Ｒ）／｛１＋［１−（１＋K）（ｈ／Ｒ）2］1/2｝
＋Ａ4ｈ4＋Ａ6ｈ6＋Ａ8ｈ8＋Ａ10ｈ10  …（５）
偏倚量を下記の式（６）で表した場合、
Δｚ＝ｚ−ｈ2／Ｒ｛１＋（１−ｈ2／Ｒ2）1/2｝                 …（６）
以下の条件式（７a）または条件式（７b）を満足することを特徴とする請求項３に記載の結像光学系。
ＲA≧０のとき、
-1.0e-3≦｛Ｐ1−Ｐ2｝／ｙ10≦1.0e-2  （但し、Ｐ2＜0）   …（７a）
ＲA≦０のとき、
-1.0e-2≦｛Ｐ1−Ｐ2｝／ｙ10≦1.0e-3  （但し、Ｐ2＞0）   …（７b）
ここで、
Ｐ1は前記正レンズＬAの非球面と分散に関するパラメータであって、以下の式で表され、
Ｐ1＝（ΔｚA（h）−ΔｚC（h））／νd1、
Ｐ2は前記正レンズＬBの非球面と分散に関するパラメータであって、以下の式で表され、
Ｐ2＝（ΔｚA（h）−ΔｚB（h））／νd2、
ＲAは前記接合面Ａの近軸曲率半径、
ｙ10は前記結像光学系の結像位置近傍に配置された電子撮像素子の有効撮像面内（撮像可能な面内）において、中心から最も遠い点までの距離（最大像高）、
ｚAは前記接合面Ａの形状であって、式（５）に従う形状、
ΔｚA（h）は前記接合面Ａの偏倚量であって、式（６）に従う偏倚量、
ｚBは前記空気接触面Ｂの形状であって、式（５）に従う形状、
ΔｚB（h）は前記空気接触面Ｂの偏倚量であって、式（６）に従う偏倚量、
ｚCは前記空気接触面Ｂの形状であって、式（５）に従う形状、
ΔｚC（h）は前記空気接触面Ｃの偏倚量であって、式（６）に従う偏倚量、
νd1は前記正レンズＬAのアッベ数（ｎd1−1）／（ｎF1−ｎC1）、
νd2は前記正レンズＬBのアッベ数（ｎd2−1）／（ｎF2−ｎC2）、
また、
ｈ＝3.0aであり、
aは以下の条件式（８）に従う量、
a＝(ｙ10)2・log10γ／ｆw  …（８）
ΔｚA（h）＝０となるhの数が2.0a＜h＜4.0aの区間に１つ以下であり、
ｆwは前記結像光学系の広角端における全系の焦点距離、
γはズーム比（望遠端での全系焦点距離／広角端での全系焦点距離）、
ｅ-nは１０の−ｎ乗を示し、
また、各面の面頂を原点とするため、常にｚ（０）＝０、
である。
【請求項５】
以下の条件式（９）を満足することを特徴とする請求項１から請求項４のいずれか１項に記載の結像光学系。
-1.5e2＜（νd1−νd3）／（θgF1−θgF3）＜2.5e2  …（９）
ここで、
θgF3は前記負レンズＬCの部分分散比（ｎg3−ｎF3）／（ｎF3−ｎC3）、
νd3は前記負レンズＬCのアッベ数（ｎd3−1）／（ｎF3−ｎC3）、
ｎd3、ｎC3、ｎF3、ｎg3は前記負レンズＬCの各々ｄ線、Ｃ線、Ｆ線、ｇ線の屈折率、
であり、
ｅnは１０のｎ乗を示す。
【請求項６】
前記正レンズＬAは前記正レンズＬBと接合されており、
以下の条件式（１０）を満足することを特徴とする請求項１から請求項５のいずれか１項に記載の結像光学系。
｜ΔｎAB｜＜０．２５  …（１０）
ここで、
ΔｎABは、前記正レンズＬAと前記正レンズＬBそれぞれの媒質の屈折率差
である。
【請求項７】
前記正レンズＬAは前記負レンズＬCと接合されており、
以下の条件式（１１）を満足することを特徴とする請求項１から請求項５のいずれか１項に記載の結像光学系。
｜ΔｎAC｜＜０．３０  …（１１）
ここで、
ΔｎACは、前記正レンズＬAと前記負レンズＬCそれぞれの媒質の屈折率差
である。
【請求項８】
以下の条件式（１２）を満足することを特徴とする請求項１から請求項７のいずれか１項に記載の結像光学系。
−０．２０＜ｆw／R1r＜０  …（１２）
ここで、
R1rは前記第1レンズ群G1の最も像側の面の光軸上での曲率半径、
ｆwは前記結像光学系の全系の広角端における合成焦点距離、
である。
【請求項９】
前記第２レンズ群Ｇ２は、物体側から順に、負レンズ成分C21と２つのレンズより構成され、
最初の前記負レンズ成分C21が以下の条件式（１３）を満足することを特徴とする請求項１から請求項８のいずれか１項に記載の結像光学系。
０．５＜（Ｒ21F＋Ｒ21R）／（Ｒ21F−Ｒ21R）＜１．２  …（１３）
ここで、
Ｒ21Fは前記負レンズ成分C21の物体側屈折面の光軸上の曲率半径、
Ｒ21Rは前記負レンズ成分C21の像側屈折面の光軸上の曲率半径、
である。
【請求項１０】
前記第２レンズ群Ｇ２は、物体側から順に、負レンズ成分C21と、正レンズと負レンズとの接合レンズ成分C2Bと、により構成され、
前記接合レンズ成分C2Bの最も像側の屈折面が非球面であると同時に、
以下の条件式（１４）を満足することを特徴とする請求項１から請求項９のいずれか１項に記載の結像光学系。
−０．１＜ｆw／Ｒ2BR＜０．１  …（１４）
ここで、
Ｒ2BRは前記接合レンズ成分C2Bの像側屈折面の光軸上の曲率半径
である。
【請求項１１】
前記第２レンズ群Ｇ２は、物体側から順に、負レンズ成分C21と、負レンズ成分C22と、正レンズ成分C23と、の３つのレンズ成分より構成され、
以下の条件式（１５）、（１６）を満足することを特徴とする請求項１から請求項１０のいずれか１項に記載の結像光学系。
３＜（Ｒ22R＋Ｒ23F）／（Ｒ22R−Ｒ23F）＜８０  …（１５）
０．４＜Ｒ23F／Ｒ22R＜０．９８              …（１６）
ここで、
Ｒ22Rは前記負レンズ成分C22の像側屈折面の光軸上の曲率半径、
Ｒ23Fは前記正レンズ成分C23の物体側屈折面の光軸上の曲率半径、
である。
【請求項１２】
前記第２レンズ群Ｇ２は、物体側から順に、負レンズ成分C21と、負レンズ成分C22と、正レンズ成分C23との３つのレンズ成分より構成され、以下の条件式（１７）、（１８）を満足することを特徴とする請求項１から請求項１１のいずれか１項に記載の結像光学系。
−０．６＜（Ｒ22F＋Ｒ22R）／（Ｒ22F−Ｒ22R）＜０．４  …（１７）
−０．９＜（Ｒ23F＋Ｒ23R）／（Ｒ23F−Ｒ23R）＜０．１  …（１８）
ここで、
Ｒ22Fは前記負レンズ成分C22の物体側屈折面の光軸上の曲率半径、
Ｒ22Rは前記負レンズ成分C22の像側屈折面の光軸上の曲率半径、
Ｒ23Fは前記正レンズ成分C23の物体側屈折面の光軸上の曲率半径、
Ｒ23Rは前記正レンズ成分C23の像側屈折面の光軸上の曲率半径、
である。
【請求項１３】
前記第３レンズ群Ｇ３の負レンズ成分は像側に凹面を向けたメニスカス形状であり、以下の条件式（１９）を満足することを特徴とする請求項１から請求項１２のいずれか１項に記載の結像光学系。
−０．０５＜（Ｒ3NF−Ｒ3NR）／（Ｒ3NF＋Ｒ3NR）＜０．９５  …（１９）
ここで、
Ｒ3NFは第３レンズ群Ｇ３の前記負レンズ成分の最も物体側屈折面の曲率半径、
Ｒ3NFは第３レンズ群Ｇ３の前記負レンズ成分の最も像側屈折面の曲率半径、
である。
【請求項１４】
前記第３レンズ群G3は正レンズ成分と負レンズ成分とのそれぞれ１つずつからなることを特徴とする請求項１３に記載の結像光学系。
【請求項１５】
前記最終レンズ群ＧRは１つの正レンズ成分からなり、以下の条件式（２０）を満足することを特徴とする請求項１から請求項１４のいずれか１項に記載の結像光学系。
−０．９＜（ＲRF＋ＲRR）／（ＲRF−ＲRR）＜１．５  …（２０）
ここで、
ＲRFは前記最終レンズ群ＧRの最も物体側屈折面の曲率半径、
ＲRRは前記最終レンズ群ＧRの最も像側屈折面の曲率半径、
である。
【請求項１６】
前記最終レンズ群は第４レンズ群Ｇ４であることを特徴とする請求項１５に記載の結像光学系。
【請求項１７】
以下の条件式（２１）を満足することを特徴とする請求項１６に記載の結像光学系。
０．０５＜R3r／R4f＜０．５  …（２１）
ここで、
R3rは前記第3レンズ群G3の最も像側の面の光軸上での曲率半径、
R4fは前記第4レンズ群G4の最も物体側の面の光軸上での曲率半径、
である。
【請求項１８】
請求項１から請求項１７のいずれか１項に記載の結像光学系と、電子撮像素子と、前記結像光学系を通じて結像した像を前記電子撮像素子で撮像することによって得られた画像データを加工して像の形状を変化させた画像データとして出力する画像処理手段とを有し、前記結像光学系が、無限遠物点合焦時に次の条件式（２２）を満足することを特徴とする電子撮像装置。
０．７＜ｙ07／（ｆｗ・ｔａｎω07w）＜０．９７  …（２２）
ここで、
ｙ07は前記電子撮像素子の有効撮像面内（撮像可能な面内）で中心から最も遠い点までの距離（最大像高）をｙ10としたときｙ07＝０．７・ｙ10、
ω07wは広角端における前記撮像面上の中心からｙ07の位置に結ぶ像点に対応する物点方向の光軸に対する角度、
ｆｗは広角端における前記結像光学系の全系の焦点距離である。
【発明の詳細な説明】
【技術分野】
【０００１】
本発明は、結像光学系及びそれを有する電子撮像装置に関する。
特に、ズーム光学系の高変倍率化、薄型化、高性能化を実現できる有効なレンズ構成とその電子撮像装置の薄型化への応用に関するものである。
【背景技術】
【０００２】
デジタルカメラは高画素数化（高画質化）や小型薄型化において実用レベルを達成し、機能的にも市場的にも銀塩３５ｍｍフィルムカメラにとって代わった。そこで、次なる進化の方向の１つとして、光学仕様の向上とともにさらなる高画素数化が強く求められている。光学仕様の向上とは、そのままの小ささ、薄さで、光学系の高変倍比、広角化、大口径比化を指す。
【０００３】
たとえば、特許文献１に記載された結像光学系は、高変倍率かつ広角でありしかも各々レンズ群の光軸方向の厚みを薄く構成できている。したがって、それを搭載した電子撮像装置は薄型であると同時に高機能である。このような結像光学系では、小ささや薄さをそのままにさらなる光学仕様を向上しようとすると、色収差が問題となる。この問題となりやすい色収差を補正した結像光学系として、特許文献２、３、４に記載された結像光学系がある。これらの結像光学系では、従来のガラスにはない有効な分散特性、あるいは部分分散特性を有する透明媒質を導入している。
【０００４】
また、電子撮像素子を用いた電子撮像装置では、ｈ線（４０４．６６ｎｍ）の色収差によるフレアが発生しやすい。このｈ線の色収差補正の重要性を説いた特許文献として、特許文献５が知られている。
【先行技術文献】
【特許文献】
【０００５】
【特許文献１】特開２００８−１１２０１３号公報
【特許文献２】特開２００６−３４９９４７号公報
【特許文献３】特開２００７−２９８５５５号公報
【特許文献４】特開２００８−１３９６４５号公報
【特許文献５】特開２００１−２０８９６４号公報
【発明の概要】
【発明が解決しようとする課題】
【０００６】
特許文献１に記載の実施例を見ると、ズーム比が１０倍、広角端での画角が８０°という仕様でありながら、全長は短くしかも各レンズ群（特に第１レンズ群）の光軸方向の厚みが薄い。しかしながら、望遠端における短波長領域、特にｇ線やｈ線の軸上色収差、倍率色収差の補正が十分ではない。そのため、さらに小型化もしくは仕様向上を行なうと、色収差の発生量が許容範囲を超えてしまう。
【０００７】
また、特許文献２、３、４には、従来にはない有効な分散特性や部分分散特性を有する透明物質についての記載がある。このような特性を持つ透明物質を、特許文献１に利用しいてさらに薄型化することが考えられる。しかしながら、このような透明物質を用いた実施例を参照しても、従来設計例に対して薄型化が可能であることが実証できていない。
【０００８】
また、特許文献５には、光学系で色フレアを除去する具体的な有効手段が記載されていない。
【０００９】
ここで、課題となっている色収差について詳述する。
色収差には近軸的な色収差と高次の色収差がある。近軸色収差には焦点位置の色収差と焦点距離の色収差がある。これらの色収差が補正されているとは、通常、ある２波長、たとえばＣ線（656.27nm）とＦ線（486.13nm）について、それぞれの波長における焦点位置と焦点距離が一致している状態を指す。そして、この例では、Ｃ線とＦ線の色消しが出来たと称している。これは、光学系に含まれる複数のレンズの光学材料に、それ相当のアッベ数を持つ光学材料選択することで達成できる。しかし、他の波長については一致していない（つまり収差が残存している）場合がほとんどである。この残存色収差を２次スペクトルと称している。その残存量に影響のある光学特性が部分分散比である。
【００１０】
通常の光学材料の場合、低分散（アッベ数が高い）なものは相対的に部分分散比が小さく、高分散（アッベ数が低い）なものは大きい。従って、低分散材料には部分分散比が大きく、高分散材料では部分分散比が小さいものを極力選択することで、２次スペクトルを軽減することが理論的には可能である。しかし、現実にはそうした光学材料が存在しない。
【００１１】
一方、高次の色収差とは、色の球面収差、色コマ、倍率色収差の像高に関する高次成分（色の歪曲収差）に相当する。これらの収差は基準波長（たとえばｄ線・・・587.56nm）に対する高次収差発生源と光学材料の分散とが複雑に絡んでいる。そのため、一般的に高次の色収差を補正することは、基準波長に対する収差の補正や近軸色収差の補正を犠牲にすることになる。従って、高次の色収差は独立に補正することが望ましい。
【００１２】
本発明は、上記従来の課題に鑑みてなされたものであり、光学系の小型・薄型化を維持しつつ、色収差を中心とした諸収差が良好に補正された結像光学系、及びそれを用いた電子撮像装置を得ることを目的とする。
【課題を解決するための手段】
【００１３】
上述した課題を解決し、目的を達成するために、本発明の結像光学系は、物体側から順に、正の屈折力を有する第１レンズ群G1、負の屈折力を有する第２レンズ群G2、正の屈折力を有する第３レンズ群G3、最終レンズ群GRを含み、前記第１レンズ群G1は正レンズ２枚と負レンズ１枚の３枚が互いに接合された１つのレンズ成分のみからなり、横軸をνd1、及び縦軸をθgF1とする直交座標系において、
θgF1＝α1×νd1＋βgF1
で表される直線を設定したときに、以下の条件式（１）の範囲の下限値であるときの直線、及び上限値であるときの直線で定まる領域と、以下の条件式（２）で定まる領域と、の２つの領域に、前記２枚の正レンズのいずれか一方の正レンズＬAのθgF1及びνd1が含まれることを特徴としている。
０．７７００＜βgF1＜０．８７００  …（１）
１０＜νd1＜２７                   …（２）
ここで、
α1＝−０．００５６６、
θgF1は前記正レンズＬAの部分分散比（ｎg1−ｎF1）／（ｎF1−ｎC1）、
νd1は前記正レンズＬAのアッベ数（ｎd1−1）／（ｎF1−ｎC1）、
ｎd1、ｎC1、ｎF1、ｎg1は前記正レンズＬAの各々ｄ線、Ｃ線、Ｆ線、ｇ線の屈折率、
である。
【００１４】
本発明に係る電子撮像装置は、前記結像光学系と、電子撮像素子と、前記結像光学系を通じて結像した像を前記電子撮像素子で撮像することによって得られた画像データを加工して像の形状を変化させた画像データとして出力する画像処理手段とを有し、前記結像光学系が、無限遠物点合焦時に次の条件式（２２）を満足することを特徴としている。
０．７＜ｙ07／（ｆｗ・ｔａｎω07w）＜０．９７  …（２２）
ここで、
ｙ07は前記電子撮像素子の有効撮像面内（撮像可能な面内）で中心から最も遠い点までの距離（最大像高）をｙ10としたときｙ07＝０．７・ｙ10、
ω07wは広角端における前記撮像面上の中心からｙ07の位置に結ぶ像点に対応する物点方向の光軸に対する角度、
ｆｗは広角端における前記結像光学系の全系の焦点距離である。
【発明の効果】
【００１５】
本発明にかかる結像光学系は、光学系の小型・薄型化を維持しつつ、色収差を中心とした諸収差が良好に補正された結像光学系、特に高倍率結像光学系を実現できる。また、本発明の結像光学系を用いることにより、高変倍率ながらも極めて薄い電子撮像装置が実現できる。
【図面の簡単な説明】
【００１６】
【図１】本発明の実施例１にかかるズームレンズの（ａ）は広角端、（ｂ）は中間、（ｃ）は望遠端における無限遠物点合焦時の光学構成を示す光軸に沿う断面図である。
【図２】実施例１にかかるズームレンズの無限遠物点合焦時における球面収差、非点収差、歪曲収差、倍率色収差を示す図であり、（a）は広角端、（b）は中間、（c）は望遠端での状態を示している。
【図３】実施例１にかかるズームレンズの無限遠物点合焦時における、像高比0.7の軸外光束のコマ収差（横収差）を示す図であり、（a）は広角端、（b）は中間、（c）は望遠端での状態を示している。
【図４】本発明の実施例２にかかるズームレンズの（ａ）は広角端、（ｂ）は中間、（ｃ）は望遠端における無限遠物点合焦時の光学構成を示す光軸に沿う断面図である。
【図５】実施例２にかかるズームレンズの無限遠物点合焦時における球面収差、非点収差、歪曲収差、倍率色収差を示す図であり、（a）は広角端、（b）は中間、（c）は望遠端での状態を示している。
【図６】実施例２にかかるズームレンズの無限遠物点合焦時における、像高比0.7の軸外光束のコマ収差（横収差）を示す図であり、（a）は広角端、（b）は中間、（c）は望遠端での状態を示している。
【図７】本発明の実施例３にかかるズームレンズの（ａ）は広角端、（ｂ）は中間、（ｃ）は望遠端における無限遠物点合焦時の光学構成を示す光軸に沿う断面図である。
【図８】実施例３にかかるズームレンズの無限遠物点合焦時における球面収差、非点収差、歪曲収差、倍率色収差を示す図であり、（a）は広角端、（b）は中間、（c）は望遠端での状態を示している。
【図９】実施例３にかかるズームレンズの無限遠物点合焦時における、像高比0.7の軸外光束のコマ収差（横収差）を示す図であり、（a）は広角端、（b）は中間、（c）は望遠端での状態を示している。
【図１０】本発明の実施例４にかかるズームレンズの（ａ）は広角端、（ｂ）は中間、（ｃ）は望遠端における無限遠物点合焦時の光学構成を示す光軸に沿う断面図である。
【図１１】実施例４にかかるズームレンズの無限遠物点合焦時における球面収差、非点収差、歪曲収差、倍率色収差を示す図であり、（a）は広角端、（b）は中間、（c）は望遠端での状態を示している。
【図１２】実施例４にかかるズームレンズの無限遠物点合焦時における、像高比0.7の軸外光束のコマ収差（横収差）を示す図であり、（a）は広角端、（b）は中間、（c）は望遠端での状態を示している。
【図１３】本発明の実施例５にかかるズームレンズの（ａ）は広角端、（ｂ）は中間、（ｃ）は望遠端における無限遠物点合焦時の光学構成を示す光軸に沿う断面図である。
【図１４】実施例５にかかるズームレンズの無限遠物点合焦時における球面収差、非点収差、歪曲収差、倍率色収差を示す図であり、（a）は広角端、（b）は中間、（c）は望遠端での状態を示している。
【図１５】実施例５にかかるズームレンズの無限遠物点合焦時における、像高比0.7の軸外光束のコマ収差（横収差）を示す図であり、（a）は広角端、（b）は中間、（c）は望遠端での状態を示している。
【図１６】本発明の実施例６にかかるズームレンズの（ａ）は広角端、（ｂ）は中間、（ｃ）は望遠端における無限遠物点合焦時の光学構成を示す光軸に沿う断面図である。
【図１７】実施例６にかかるズームレンズの無限遠物点合焦時における球面収差、非点収差、歪曲収差、倍率色収差を示す図であり、（a）は広角端、（b）は中間、（c）は望遠端での状態を示している。
【図１８】実施例６にかかるズームレンズの無限遠物点合焦時における、像高比0.7の軸外光束のコマ収差（横収差）を示す図であり、（a）は広角端、（b）は中間、（c）は望遠端での状態を示している。
【図１９】本発明によるズームレンズを組み込んだデジタルカメラ４０の外観を示す前方斜視図である。
【図２０】デジタルカメラ４０の後方斜視図である。
【図２１】デジタルカメラ４０の光学構成を示す断面図である。
【図２２】本発明のズームレンズが対物光学系として内蔵された情報処理装置の一例であるパソコン３００のカバーを開いた状態の前方斜視図である。
【図２３】パソコン３００の撮影光学系３０３の断面図である。
【図２４】パソコン３００の側面図である。
【図２５】本発明のズームレンズが撮影光学系として内蔵された情報処理装置の一例である携帯電話を示す図であり、（a）は携帯電話４００の正面図、（b）は側面図、（c）は撮影光学系４０５の断面図である。
【発明を実施するための形態】
【００１７】
まず、実施例の説明に先立ち、本実施形態の結像光学系の作用効果について説明する。
【００１８】
本実施形態の結像光学系は、物体側から順に、正の屈折力を有する第１レンズ群G1、負の屈折力を有する第２レンズ群G2、正の屈折力を有する第３レンズ群G3、最終レンズ群GRを含み、第１レンズ群G1は正レンズ２枚と負レンズ１枚の３枚が互いに接合された１つのレンズ成分のみからなり、横軸をνd1、及び縦軸をθgF1とする直交座標系において、
θgF1＝α1×νd1＋βgF1
で表される直線を設定したときに、
以下の条件式（１）の範囲の下限値であるときの直線、及び上限値であるときの直線で定まる領域と、以下の条件式（２）で定まる領域と、の２つの領域に、２枚の正レンズのいずれか一方の正レンズＬAのθgF1及びνd1が含まれることを特徴とする。
０．７７００＜βgF1＜０．８７００  …（１）
１０＜νd1＜２７                   …（２）
ここで、
α1＝−０．００５６６、
θgF1は正レンズＬAの部分分散比（ｎg1−ｎF1）／（ｎF1−ｎC1）、
νd1は正レンズＬAのアッベ数（ｎd1−1）／（ｎF1−ｎC1）、
ｎd1、ｎC1、ｎF1、ｎg1は正レンズＬAの各々ｄ線、Ｃ線、Ｆ線、ｇ線の屈折率、
である。
【００１９】
本実施形態の結像光学系は、正の屈折力を有する第１レンズ群Ｇ１を、正レンズ２枚と負レンズ１枚の３枚が互いに接合された１つのレンズ成分のみで構成し、いずれか一方の正レンズＬAに特殊な分散特性を有する光学媒質を用いる。これにより、薄型化と二次スペクトルによる残存色収差の補正を両立するものである。特に、負レンズＬCとの部分分散の差を利用するという手法によるものである。
また、分散の大きく異なる２つの正レンズをその接合面が非球面となるように互いに接合する。これにより、小型化により発生しやすくなる高次の色収差を除去するものでもある。
【００２０】
ところで、通常の非球面（空気接触面）では球面収差、コマ収差、歪曲収差に対する補正効果が大きいが、高次の色収差、つまり色の球面収差、色コマ、倍率色収差の像高に関する高次成分（色の歪曲収差）に対しては、分散の大きく異なる透明材質の界面（本実施形態では光学面Ａがこれに相当する）を非球面化すると補正効果は大きい。
【００２１】
条件式（１）はレンズＬAの硝材の部分分散比θgF1に関するものである。条件式（１）を満足しない場合（その範囲を外れる硝材をレンズＬAに用いた場合）、望遠側における二次スペクトルによる軸上色収差と倍率色収差、つまりＦ線とＣ線で色消しをしたときのｇ線の軸上色収差と倍率色収差の補正が十分でなくなる。そのため、特に望遠側の撮像で得た画像において、画面全体に亘り鮮鋭さを確保しづらい。
【００２２】
条件式（２）はレンズＬAの硝材のアッベ数に関するものである。条件式（２）の下限値を下回ると、そもそもＦ線とＣ線との色消し自体が困難となり好ましくない。条件式（２）の上限値を上回ると、Ｆ線とＣ線との色消しが出来たとしても、色のザイデル５収差に対する補正効果が少なくなる。
【００２３】
なお、条件式（１）に代えて、次の条件式（１’）を満足すると、より好ましい。
０．７７００＜βgF1＜０．８５００  …（１’）
【００２４】
さらに、条件式（１）に代えて、次の条件式（１”）を満足すると、より一層好ましい。
０．７８００＜βgF1＜０．８２００  …（１”）
【００２５】
さらに、条件式（１）に代えて、次の条件式（１"’）を満足すると最もよい。
０．７８５０＜βgF1＜０．８１５０  …（１"’）
【００２６】
なお、条件式（２）に代えて、次の条件式（２’）を満足すると、より好ましい。
１２．５＜νd1＜２６  …（２’）
【００２７】
さらに、条件式（２）に代えて、次の条件式（２”）を満足すると、より一層好ましい。
１５＜νd1＜２５  …（２”）
【００２８】
また、本実施形態の結像光学系は、前記直交座標とは別の、横軸をνd1、及び縦軸をθhg1とする直交座標系において、
θhg1＝αhg1×νd1＋βhg1
で表される直線を設定したときに、以下の条件式（３）の範囲の下限値であるときの直線、及び上限値であるときの直線で定まる領域と、以下の条件式（２）で定まる領域と、の２つの領域に、２枚の正レンズのいずれか一方の正レンズＬAのθhg1及びνd1が含まれることが好ましい。
０．８０００＜βhg1＜０．９０００  …（３）
１０＜νd1＜２７                   …（２）
ここで、
αhg1＝−０．００８３４、
θhg1は正レンズＬAの部分分散比（ｎh1−ｎg1）／（ｎF1−ｎC1）、
ｎh1は正レンズＬAのｈ線の屈折率
である。
【００２９】
条件式（３）はレンズＬAの硝材の部分分散比θhg1に関するものである。条件式（３）を満足しない場合（その範囲を外れる硝材をレンズＬAに用いた場合）、望遠側における二次スペクトルによる軸上色収差と倍率色収差、つまりＦ線とＣ線で色消しをしたときのｈ線の軸上色収差と倍率色収差の補正が十分でなくなる。そのため、特に望遠側の撮像で得た画像において、画面全体に亘り紫の色フレア、色にじみが発生しやすい。
【００３０】
なお、条件式（３）に代えて、次の条件式（３’）を満足すると、より好ましい。
０．８１００＜βhg1＜０．８８００  …（３’）
【００３１】
さらに、条件式（３）に代えて、次の条件式（３”）を満足すると、より一層好ましい。
０．８２００＜βhg1＜０．８７００  …（３”）
【００３２】
さらに、条件式（３）に代えて、次の条件式（３"’）を満足すると最もよい。
０．８２５０＜βhg1≦０．８６５０  …（３"’）
【００３３】
また、本実施形態の結像光学系では、正レンズＬAはその一方の面を正レンズＬBと、他方の面を負レンズＬCと接合して構成すると良い。このようにすれば、接合の界面（接合面）における色収差の補正効果が増大する。特に、色の球面収差、色コマ、倍率色収差など、開口比や像高に関する３次以上の高次収差成分についての補正効果が増大する。
【００３４】
そして、本実施形態の結像光学系は、正レンズＬAと正レンズＬBの接合面Ａは非球面であると良い。このようにすれば、色収差について、開口比や像高に関する３次以上の高次収差成分の補正効果が顕著にあらわれる。
【００３５】
さらに、本実施形態の結像光学系は、以下の条件式（４）を満足すると良い。
２０＜νd2−νd1＜９０  …（４）
ここで、
νd2は正レンズＬBのアッベ数（ｎd2−1）／（ｎF2−ｎC2）、
ｎd2、ｎC2、ｎF2は正レンズＬBの各々ｄ線、Ｃ線、Ｆ線の屈折率
である。
【００３６】
条件式（４）は接合される正レンズＬAと正レンズＬBの硝材のアッベ数差に関するものである。条件式（４）の下限を下回ると、高次の色収差の補正が困難となる。一方、条件式（４）の上限を上回ると、Ｆ線とＣ線との色消し自体が困難となる。
【００３７】
なお、条件式（４）に代えて、次の条件式（４’）を満足すると、より好ましい。
２５＜νd2−νd1＜７０  …（４’）
【００３８】
さらに、条件式（４）に代えて、次の条件式（４”）を満足すると、より一層好ましい。
３０＜νd2−νd1＜５０  …（４”）
【００３９】
また、本実施形態の結像光学系では、正レンズＬAと正レンズＬBとは接合面Ａを有し、正レンズＬBは空気接触面Ｂを有し、負レンズＬCは空気接触面Ｃを有し、光軸方向をｚ、光軸に垂直な方向をｈとする座標軸とし、Ｒを球面成分の光軸上における曲率半径、Kを円錐定数、Ａ4，Ａ6，Ａ8，Ａ10・・・を非球面係数として、非球面の形状を、以下の式（５）で表すと共に、
ｚ＝（ｈ2／Ｒ）／｛１＋［１−（１＋K）（ｈ／Ｒ）2］1/2｝
＋Ａ4ｈ4＋Ａ6ｈ6＋Ａ8ｈ8＋Ａ10ｈ10  …（５）
偏倚量を下記の式（６）で表した場合、
Δｚ＝ｚ−ｈ2／Ｒ｛１＋（１−ｈ2／Ｒ2）1/2｝                      …（６）
以下の条件式（７a）または条件式（７b）を満足するのが好ましい。
ＲA≧０のとき、
-1.0e-3≦｛Ｐ1−Ｐ2｝／ｙ10≦1.0e-2  （但し、Ｐ2＜0）   …（７a）
ＲA≦０のとき、
-1.0e-2≦｛Ｐ1−Ｐ2｝／ｙ10≦1.0e-3  （但し、Ｐ2＞0）   …（７b）
ここで、
Ｐ1は正レンズＬAの非球面と分散に関するパラメータであって、以下の式で表され、
Ｐ1＝（ΔｚA（h）−ΔｚC（h））／νd1、
Ｐ2は正レンズＬBの非球面と分散に関するパラメータであって、以下の式で表され、
Ｐ2＝（ΔｚA（h）−ΔｚB（h））／νd2、
ＲAは接合面Ａの近軸曲率半径、
ｙ10は結像光学系の結像位置近傍に配置された電子撮像素子の有効撮像面内（撮像可能な面内）において、中心から最も遠い点までの距離（最大像高）、
ｚAは接合面Ａの形状であって、式（５）に従う形状、
ΔｚA（h）は接合面Ａの偏倚量であって、式（６）に従う偏倚量、
ｚBは空気接触面Ｂの形状であって、式（５）に従う形状、
ΔｚB（h）は空気接触面Ｂの偏倚量であって、式（６）に従う偏倚量、
ｚCは空気接触面Ｂの形状であって、式（５）に従う形状、
ΔｚC（h）は空気接触面Ｃの偏倚量であって、式（６）に従う偏倚量、
νd1は正レンズＬAのアッベ数（ｎd1−1）／（ｎF1−ｎC1）、
νd2は正レンズＬBのアッベ数（ｎd2−1）／（ｎF2−ｎC2）、
また、
ｈ＝3.0aであり、
aは以下の条件式（８）に従う量、
a＝(ｙ10)2・log10γ／ｆw  …（８）
ΔｚA（h）＝０となるhの数が2.0a＜h＜4.0aの区間に１つ以下であり、
ｆwは結像光学系の広角端における全系の焦点距離、
γはズーム比（望遠端での全系焦点距離／広角端での全系焦点距離）、
ｅ-nは１０のべき乗（-n乗）を示し、
また、各面の面頂を原点とするため、常にｚ（０）＝０である。
【００４０】
条件式（７a）の下限値を下回るか、または、条件式（７b）の上限値を上回ると、特に望遠側において、球面収差やコマ収差を補正しながら、高次の色収差を補正することが困難となる。具体的には、色の球面収差、色コマ、倍率色収差の像高に関する高次成分（色の歪曲収差）を補正することが困難となる。
【００４１】
一方、条件式（７a）の上限値を上回る、または条件式（７b）の下限値を下回ると、これらの高次の色収差の補正が過剰となるか、d線など基準となる波長に対する収差が悪化しやすい。
【００４２】
なお、条件式（７a）に代えて、次の条件式（７a’）を満足すると、より好ましい。
-5.0e-4≦｛Ｐ1−Ｐ2｝／ｙ10≦5.0e-3  …（７a’）
ここで、ｈ＝3.0a、かつ、Ｐ2＜0である。
【００４３】
さらに、条件式（７a）に代えて、次の条件式（７a”）を満足すると、より一層好ましい。
-3.0e-4≦｛Ｐ1−Ｐ2｝／ｙ10≦2.0e-3  …（７a”）
ここで、ｈ＝3.0a、かつ、Ｐ2＞0である。
【００４４】
あるいは、条件式（７b）に代えて、次の条件式（７b’）を満足すると、より好ましい。
-5.0e-3≦｛Ｐ1−Ｐ2｝／ｙ10≦5.0e-4  …（７b’）
ここで、ｈ＝3.0a、かつ、Ｐ2＜0である。
【００４５】
あるいはさらに、条件式（７b）に代えて、次の条件式（７b”）を満足すると、より一層好ましい。
-2.0e-3≦｛Ｐ1−Ｐ2｝／ｙ10≦3.0e-4  …（７b”）
ここで、ｈ＝3.0a、かつ、Ｐ2＞0である。
【００４６】
また、本実施形態の結像光学系は、以下の条件式（９）を満足することが好ましい。
-1.5e2＜（νd1−νd3）／（θgF1−θgF3）＜2.5e2  …（９）
ここで、
θgF3は負レンズＬCの部分分散比（ｎg3−ｎF3）／（ｎF3−ｎC3）、
νd3は負レンズＬCのアッベ数（ｎd3−1）／（ｎF3−ｎC3）、
ｎd3、ｎC3、ｎF3、ｎg3は負レンズＬCの各々ｄ線、Ｃ線、Ｆ線、ｇ線の屈折率
であり、
ｅnは１０のべき乗（n乗）を示す。
【００４７】
Ｆ線とＣ線の色消しを行なうには、必然的に低分散（アッベ数が高い）材料のレンズと高分散（アッベ数が低い）材料のレンズを組み合わせなくてはならない。一方、自然界に存在する低分散（アッベ数が高い）材料は相対的に部分分散比が小さく、高分散（アッベ数が低い）材料はそれが大きい。そのため、このような材料を用いて収差補正を行っても、二次スペクトルによるｇ線、h線の収差が著しく残存する。
【００４８】
ところが、高分散側の材料には、同様のアッベ数でありながら部分分散比が若干異なるものが存在する。そこで、これらの材料を組み合わせて二次スペクトルの除去を行なう。このような材料の組み合わせが、本実施形態における正レンズＬAと負レンズＬCの組み合わせに相当する。そして、さらに低分散の正レンズＬBを組み合わせて、Ｆ線とＣ線の色消しを行なう。
【００４９】
条件式（９）は、正レンズＬAと負レンズＬCの相互の分散特性に関する条件式である。条件式（９）の下限値を下回ると、二次スペクトルによるｇ線、h線の収差が残存する。一方、条件式（９）の上限値を上回ると、二次スペクトルの補正には有利であるが、やはり自然界に材料が存在し得ない。
【００５０】
なお、条件式（９）に代えて、次の条件式（９’）を満足すると、より好ましい。
-0.8e2＜（νd1−νd3）／（θgF1−θgF3）＜2.0e2  …（９’）
【００５１】
さらに、条件式（９）に代えて、次の条件式（９”）を満足すると、より一層好ましい。
-0.7e2＜（νd1−νd3）／（θgF1−θgF3）＜1.5e2  …（９”）
【００５２】
また、条件式（９）を満たすには、正レンズＬAの材料としてエネルギー硬化型透明樹脂、負レンズＬCの材料として射出成形用透明樹脂（あるいは光学ガラス）を選択すると良い。正レンズＬAの材料がエネルギー硬化型樹脂であるということは、正レンズＬBあるいは負レンズＬCの表面にエネルギー硬化型透明樹脂を正レンズＬAとして密着硬化させることができる。この方法は、正レンズＬAを薄くするのには極めて有効な方法である。
【００５３】
なお、エネルギー硬化型透明樹脂の例として、紫外線硬化型樹脂がある。また、密着相手のレンズには、正レンズＬAを成形する前にあらかじめコーティングなど表面処理がなされていてもかまわない。また、本接合レンズの実現方法によれば、密着相手のレンズの少なくとも接合側の面をあらかじめ非球面にて構成することで、これまで困難であった接合面の非球面化が容易に行なえる。
【００５４】
また、本実施形態の結像光学系では、正レンズＬAは正レンズＬBと接合されており、以下の条件式（１０）を満足することが好ましい。
｜ΔｎAB｜＜０．２５  …（１０）
ここで、
ΔｎABは、正レンズＬAと正レンズＬBそれぞれの媒質の屈折率差である。
【００５５】
正レンズＬAと正レンズＬBの屈折率差が小さいほうが、高次の色収差補正に有利である。この補正効果は、その接合面を非球面とした場合により高まる。条件式（１０）の上限を上回ると、ｄ線など基準となる波長に対する収差と高次の色収差の同時補正が困難となる。
【００５６】
なお、条件式（１０）に代えて、次の条件式（１０’）を満足すると、より好ましい。
｜ΔｎAB｜＜０．１８  …（１０’）
【００５７】
さらに、条件式（１０）に代えて、次の条件式（１０”）を満足すると、より一層好ましい。
｜ΔｎAB｜＜０．１１  …（１０”）
【００５８】
また、本実施形態の結像光学系では、正レンズＬAは負レンズＬCと接合されており、以下の条件式（１１）を満足することが好ましい。
｜ΔｎAC｜＜０．３０  …（１１）
ここで、
ΔｎACは、正レンズＬAと負レンズＬCそれぞれの媒質の屈折率差である。
【００５９】
正レンズＬAと負レンズＬCの屈折率差が小さいほうが、高次の色収差補正に有利である。この補正効果は、その接合面を非球面とした場合により高まる。条件式（１１）の上限を上回ると、ｄ線など基準となる波長に対する収差と高次の色収差の同時補正が困難となる。
【００６０】
なお、条件式（１１）に代えて、次の条件式（１１’）を満足すると、より好ましい。
｜ΔｎAC｜＜０．１７  …（１１’）
【００６１】
さらに、条件式（１１）に代えて、次の条件式（１１”）を満足すると、より一層好ましい。
｜ΔｎAC｜＜０．０５  …（１１”）
【００６２】
また、本実施形態の結像光学系は、以下の条件式（１２）を満足するのが好ましい。
−０．２０＜ｆw／R1r＜０  …（１２）
ここで、
R1rは第1レンズ群G1の最も像側の面の光軸上での曲率半径、
ｆwは結像光学系の全系の広角端における合成焦点距離、である。
【００６３】
条件式（１２）は、第１レンズ群G1の最も像側の面の光軸上での曲率半径R1rに関する条件式である。条件式（１２）の上限を上回ると、光学系の全長が長くなるので、小型化薄型化に支障をきたす。条件式（１２）の下限を下回ると、望遠端において球面収差やコマ収差など各収差の補正が困難となる。
【００６４】
なお、条件式（１２）に代えて、次の条件式（１２’）を満足すると、より好ましい。
−０．１５＜ｆw／R1r＜−０．０１  …（１２’）
【００６５】
さらに、条件式（１２）に代えて、次の条件式（１２”）を満足すると、より一層好ましい。
−０．１０＜ｆw／R1r＜−０．０２  …（１２”）
【００６６】
また、本実施形態の結像光学系は、第２レンズ群Ｇ２は物体側から順に、負レンズ成分C21と２つのレンズより構成され、最初の負レンズ成分C21が以下の条件式（１３）を満足すると好ましい。
０．５＜（Ｒ21F＋Ｒ21R）／（Ｒ21F−Ｒ21R）＜１．２  …（１３）
ここで、
Ｒ21Fは負レンズ成分C21の物体側屈折面の光軸上の曲率半径、
Ｒ21Rは負レンズ成分C21の像側屈折面の光軸上の曲率半径、
である。
【００６７】
全長を短くするには、負レンズ成分C21の屈折力を強めるのが効果的である。一方で、負レンズ成分C21の屈折力を強めることは、諸収差悪化の要因ともなる。条件式（１３）は負レンズ成分C21の形状を収差補正に適したものとする条件である。
【００６８】
条件式（１３）の上限を上回ると、コマ収差や非点収差が悪化しやすい。条件式（１３）の下限を下回ると、歪曲収差が悪化しやすい。
【００６９】
なお、条件式（１３）に代えて、次の条件式（１３’）を満足すると、より好ましい。
０．６＜（Ｒ21F＋Ｒ21R）／（Ｒ21F−Ｒ21R）＜１．１  …（１３’）
【００７０】
さらに、条件式（１３）に代えて、次の条件式（１３”）を満足すると、より一層好ましい。
０．７＜（Ｒ21F＋Ｒ21R）／（Ｒ21F−Ｒ21R）＜１．０  …（１３”）
【００７１】
なお、負レンズ成分C21を単レンズにて構成した場合は、その媒質のｄ線の屈折率を1.8以上とするのが好ましい。1.8を下回ると、コマ収差、非点収差、歪曲収差の全体レベルが低下しやすい。また、条件式（１３’）、（１３”）の上限値を上回ると、像面湾曲が悪化しやすい。
【００７２】
また、本実施形態の結像光学系では、第２レンズ群Ｇ２は物体側から順に、負レンズ成分C21と、正レンズと負レンズとの接合レンズ成分C2Bと、により構成され、接合レンズ成分C2Bの最も像側の屈折面が非球面であると同時に、以下の条件式（１４）を満足するようにしてもよい。
−０．１＜ｆw／Ｒ2BR＜０．１  …（１４）
ここで、
Ｒ2BRは接合レンズ成分C2Bの像側屈折面の光軸上の曲率半径である。
【００７３】
接合レンズ成分C2Bの形状は、特に広角側の非点収差との関係が深い。条件式（１４）の下限値を下回ると、子午像面が負側に湾曲しやすい。条件式（１４）の上限値を上回ると、子午像面が正側に湾曲しやすい。
【００７４】
なお、条件式（１４）に代えて、次の条件式（１４’）を満足すると、より好ましい。
−０．０７＜ｆw／Ｒ2BR＜０．０７  …（１４'）
【００７５】
さらに、条件式（１４）に代えて、次の条件式（１４”）を満足すると、より一層好ましい。
−０．０５＜ｆw／Ｒ2BR＜０．０５  …（１４”）
【００７６】
また、本実施形態の結像光学系では、前記第２レンズ群Ｇ２は物体側から順に、負レンズ成分C21と、負レンズ成分C22と、正レンズ成分C23と、の３つのレンズ成分より構成され、以下の条件式（１５）、（１６）を満足するようにしてもよい。
３＜（Ｒ22R＋Ｒ23F）／（Ｒ22R−Ｒ23F）＜８０  …（１５）
０．４＜Ｒ23F／Ｒ22R＜０．９８              …（１６）
ここで、
Ｒ22Rは負レンズ成分C22の像側屈折面の光軸上の曲率半径、
Ｒ23Fは正レンズ成分C23の物体側屈折面の光軸上の曲率半径、
である。
【００７７】
本実施形態の結像光学系では、負レンズ成分C22と正レンズ成分C23によって空気レンズが形成される。この空気レンズの形状は、特に広角側の非点収差や入射瞳位置（すなわち、第1レンズ群Ｇ１の径の大きさや厚み）との関係が深い。
【００７８】
条件式（１５）の下限値を下回ると、子午像面が負側に湾曲しやすい。条件式（１５）の上限値を上回ると、子午像面が正側に湾曲しやすい。
【００７９】
条件式（１６）の下限値を下回ると、第1レンズ群Ｇ１を小型化しやすいが、広角側での非点収差やコマ収差が悪化しやすい。条件式（１６）の上限を上回ると、第1レンズ群Ｇ１が大型化しやすい。
【００８０】
なお、条件式（１５）、（１６）に代えて、次の条件式（１５’）、（１６'）を満足すると、より好ましい。
４＜（Ｒ22R＋Ｒ23F）／（Ｒ22R−Ｒ23F）＜５０  …（１５'）
０．４５＜Ｒ23F／Ｒ22R＜０．９５…（１６'）
【００８１】
さらに、条件式（１５）、（１６）に代えて、次の条件式（１５”）、（１６”）を満足すると、より一層好ましい。
５＜（Ｒ22R＋Ｒ23F）／（Ｒ22R−Ｒ23F）＜３０  …（１５”）
０．５＜Ｒ23F／Ｒ22R＜０．９２  …（１６”）
【００８２】
また、本実施形態の結像光学系では、第２レンズ群Ｇ２は物体側から順に、負レンズ成分C21と、負レンズ成分C22と、正レンズ成分C23と、の３つのレンズ成分より構成され、以下の条件式（１７）、（１８）を満足するようにしてもよい。
−０．６＜（Ｒ22F＋Ｒ22R）／（Ｒ22F−Ｒ22R）＜０．４  …（１７）
−０．９＜（Ｒ23F＋Ｒ23R）／（Ｒ23F−Ｒ23R）＜０．１  …（１８）
ここで、
Ｒ22Fは負レンズ成分C22の物体側屈折面の光軸上の曲率半径、
Ｒ22Rは負レンズ成分C22の像側屈折面の光軸上の曲率半径、
Ｒ23Fは正レンズ成分C23の物体側屈折面の光軸上の曲率半径、
Ｒ23Rは正レンズ成分C23の像側屈折面の光軸上の曲率半径、
である。
【００８３】
負レンズ成分C22と正レンズ成分C23の形状は、特に望遠端の球面収差と広角側の非点収差との関係が深い。条件式（１７）、（１８）を満足する場合、球面収差を良好に補正でき、しかも子午像面の倒れを抑えることができる。
【００８４】
条件式（１７）、（１８）の下限値を共に下回ると、球面収差の補正が難しい上、子午像面が負側に倒れる。条件式（１７）、（１８）の上限値を共に上回ると、球面収差の補正が難しい上、子午像面が正側に倒れる。球面収差の発生傾向と子午像面の倒れの傾向が若干異なるため、条件式（１７）、（１８）の範囲を外れると両者の補正が困難となる。
【００８５】
なお、条件式（１７）、（１８）に代えて、次の条件式（１７'）、（１８’）を満足すると、より好ましい。
−０．５＜（Ｒ22F＋Ｒ22R）／（Ｒ22F−Ｒ22R）＜０．３  …（１７'）
−０．８＜（Ｒ23F＋Ｒ23R）／（Ｒ23F−Ｒ23R）＜０      …（１８'）
【００８６】
さらに、条件式（１７）、（１８）に代えて、次の条件式（１７”）、（１８”）を満足すると、より一層好ましい。
−０．４＜（Ｒ22F＋Ｒ22R）／（Ｒ22F−Ｒ22R）＜０．２    …（１７”）
−０．７＜（Ｒ23F＋Ｒ23R）／（Ｒ23F−Ｒ23R）＜−０．１  …（１８”）
【００８７】
また、本実施形態の結像光学系では、第３レンズ群Ｇ３の負レンズ成分は像側に凹面を向けたメニスカス形状であり、以下の条件式（１９）を満足するようにしてもよい。
−０．０５＜（Ｒ3NF−Ｒ3NR）／（Ｒ3NF＋Ｒ3NR）＜０．９５  …（１９）
ここで、
Ｒ3NFは第３レンズ群Ｇ３の前記負レンズ成分の最も物体側屈折面の曲率半径、
Ｒ3NFは第３レンズ群Ｇ３の前記負レンズ成分の最も像側屈折面の曲率半径、
である。
【００８８】
条件式（１９）の上限を上回ると、コマ収差が悪化しやすい。条件式（１９）の下限を下回ると、全長短縮が困難となり薄型化に支障をきたしやすい。
【００８９】
なお、条件式（１９）に代えて、次の条件式（１９’）を満足すると、より好ましい。
０．１０＜（Ｒ3NF−Ｒ3NR）／（Ｒ3NF＋Ｒ3NR）＜０．７０  …（１９’）
【００９０】
さらに、条件式（１９）に代えて、次の条件式（１９”）を満足すると、より一層好ましい。
０．２５＜（Ｒ3NF−Ｒ3NR）／（Ｒ3NF＋Ｒ3NR）＜０．４５  …（１９”）
【００９１】
また、本実施形態の結像光学系では、第3レンズ群G3を正レンズ成分と負レンズ成分とのそれぞれ１つずつにて構成するのが好ましい。
【００９２】
このようにすることで、光学系の薄型化と収差補正を両立させることが可能である。特に、負レンズ成分にアッベ数23以下の媒質（材料）を用いれば、第3レンズ群G3を単レンズにて構成できる。負レンズ成分のアッベ数が23よりも大きい場合には、第3レンズ群G3は正レンズ負レンズの順の接合レンズとすればよい。
【００９３】
また、本実施形態の結像光学系では、最終レンズ群ＧRは１つの正レンズ成分からなり、以下の条件式（２０）を満足することが好ましい。
−０．９＜（ＲRF＋ＲRR）／（ＲRF−ＲRR）＜１．５  …（２０）
ここで、
ＲRFは最終レンズ群ＧRの最も物体側屈折面の曲率半径、
ＲRRは最終レンズ群ＧRの最も像側屈折面の曲率半径、
である。
【００９４】
条件式（２０）の上限を上回ると、最終レンズ群ＧRが第３レンズ群Ｇ３の負レンズ成分と干渉しやすくなる。その結果、光学系の薄型化に支障をきたす。条件式（２０）の下限を下回ると、非点収差が悪化しやすい。
【００９５】
なお、条件式（２０）に代えて、次の条件式（２０’）を満足すると、より好ましい。
−０．５＜（ＲRF＋ＲRR）／（ＲRF−ＲRR）＜１．０  …（２０’）
【００９６】
さらに、条件式（２０）に代えて、次の条件式（２０”）を満足すると、より一層好ましい。
−０．１＜（ＲRF＋ＲRR）／（ＲRF−ＲRR）＜０．７  …（２０”）
【００９７】
また、本実施形態の結像光学系では、最終レンズ群を第４レンズ群Ｇ４として構成するのが好ましい。この場合、第４レンズ群Ｇ４は、条件式（２０）、条件式（２０'）、又は条件式（２０”）を満足することが好ましい。
【００９８】
また、本実施形態の結像光学系は、以下の条件式（２１）を満足することが好ましい。
０．０５＜R3r／R4f＜０．５  …（２１）
ここで、
R3rは第3レンズ群G3の最も像側の面の光軸上での曲率半径、
R4fは第4レンズ群G4の最も物体側の面の光軸上での曲率半径、
である。
【００９９】
条件式（２１）の上限を上回ると、各収差の補正が困難となる。条件式（２１）の下限を下回ると、光学系の薄型化に支障をきたす。
【０１００】
なお、条件式（２１）に代えて、次の条件式（２１’）を満足すると、より好ましい。
０．０６＜R3r／R4f＜０．４  …（２１’）
【０１０１】
さらに、条件式（２１）に代えて、次の条件式（２１”）を満足すると、より一層好ましい。
０．０７＜R3r／R4f＜０．３  …（２１”）
【０１０２】
また、本実施形態の電子撮像装置は、上述した結像光学系を含む電子撮像装置とすることが好ましい。上述した結像光学系は、色収差などを悪化させることなく光学系全長や沈胴厚を薄くすることが可能である。そのため、電子撮像装置にこのような結像光学系を用いると、高画質な画像を得られつつ薄型化された電子撮像装置を得ることができる。
【０１０３】
本実施形態の電子撮像装置は、上記の結像光学系と、電子撮像素子と、結像光学系を通じて結像した像を電子撮像素子で撮像することによって得られた画像データを加工して像の形状を変化させた画像データとして出力する画像処理手段とを有し、結像光学系が、無限遠物点合焦時に次の条件式（２２）を満足するのが好ましい。
０．７＜ｙ07／（ｆｗ・ｔａｎω07w）＜０．９７  …（２２）
ここで、
ｙ07は電子撮像素子の有効撮像面内（撮像可能な面内）で中心から最も遠い点までの距離（最大像高）をｙ10としたときｙ07＝０．７・ｙ10、
ω07wは広角端における撮像面上の中心からｙ07の位置に結ぶ像点に対応する物点方向の光軸に対する角度、
ｆｗは広角端における結像光学系の全系の焦点距離である。
【実施例】
【０１０４】
以下に、本発明にかかる結像光学系及び電子撮像装置の実施例を図面に基づいて詳細に説明する。なお、この実施例によりこの発明が限定されるものではない。
【０１０５】
次に、本発明の実施例１にかかるズームレンズ（結像光学系）について説明する。図１は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【０１０６】
図２は実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
図３は、実施例１にかかるズームレンズの無限遠物点合焦時における、像高比0.7の軸外光束のコマ収差（横収差）を示す図であり、（a）は広角端、（b）は中間、（c）は望遠端での状態を示している。
【０１０７】
実施例１のズームレンズは、図１に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、を有している。なお、以下全ての実施例において、レンズ断面図中、ＬＰＦはローパスフィルター、ＣＧはカバーガラス、Ｉは電子撮像素子の撮像面を示している。
【０１０８】
第１レンズ群Ｇ１は、物体側より順に、物体側に凸面を向けた負メニスカスレンズＬ１と物体側に凸面を向けた正メニスカスレンズＬ２と両凸正レンズＬ３との接合レンズで構成されており、全体で正の屈折力を有している。ここで、物体側に凸面を向けた負メニスカスレンズＬ１がＬC、物体側に凸面を向けた正メニスカスレンズＬ２がＬA、両凸正レンズＬ３がＬBである。
【０１０９】
第２レンズ群Ｇ２は、物体側より順に、両凹負レンズＬ４と、像側に凸面を向けた正メニスカスレンズＬ５と両凹負レンズＬ６との接合レンズと、で構成されており、全体で負の屈折力を有している。
【０１１０】
第３レンズ群Ｇ３は、物体側より順に、両凸正レンズＬ７と、両凸正レンズＬ８と両凹負レンズＬ９との接合レンズと、で構成されており、全体で正の屈折力を有している。
【０１１１】
第４レンズ群Ｇ４は、物体側より順に、両凸正レンズＬ１０で構成されており、全体で正の屈折力を有している。
【０１１２】
広角端から望遠端へと変倍する際には、第１レンズ群Ｇ１は、物体側へ移動する。第２レンズ群Ｇ２は像側へ移動する。第３レンズ群Ｇ３は物体側へ移動する。第４レンズ群Ｇ４は像側へ移動する。明るさ絞りＳは、第３レンズ群Ｇ３と共に移動する。
【０１１３】
非球面は、第１レンズ群Ｇ１の接合レンズの全４面と、第２レンズ群Ｇ２の物体側の両凹負レンズＬ４の両面及び像側の両凹負レンズＬ６の像側の面と、第３レンズ群Ｇ３の物体側の両凸正レンズＬ７の両面と、第４レンズ群Ｇ４の両凸正レンズＬ１０の両面と、の１１面に設けられている。
【０１１４】
次に、本発明の実施例２にかかるズームレンズについて説明する。図４は本発明の実施例２にかかるズームレンズの無限遠物点合焦時の光学構成を示す光軸に沿う断面図であり、（ａ）は広角端、（ｂ）は中間焦点距離状態、（ｃ）は望遠端での断面図である。
【０１１５】
図５は実施例２にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。図６は、実施例２にかかるズームレンズの無限遠物点合焦時における、像高比0.7の軸外光束のコマ収差（横収差）を示す図であり、（a）は広角端、（b）は中間、（c）は望遠端での状態を示している。
【０１１６】
実施例２のズームレンズは、図４に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、を有している。
【０１１７】
第１レンズ群Ｇ１は、物体側より順に、物体側に凸面を向けた負メニスカスレンズＬ１と物体側に凸面を向けた正メニスカスレンズＬ２と両凸正レンズＬ３との接合レンズで構成されており、全体で正の屈折力を有している。ここで、物体側に凸面を向けた負メニスカスレンズＬ１がＬC、物体側に凸面を向けた正メニスカスレンズＬ２がＬA、両凸正レンズＬ３がＬBである。
【０１１８】
第２レンズ群Ｇ２は、物体側より順に、両凹負レンズＬ４と、像側に凸面を向けた正メニスカスレンズＬ５と像側に凸面を向けた負メニスカスレンズＬ６との接合レンズと、で構成されており、全体で負の屈折力を有している。
【０１１９】
第３レンズ群Ｇ３は、物体側より順に、両凸正レンズＬ７と、両凸正レンズＬ８と両凹負レンズＬ９との接合レンズと、で構成されており、全体で正の屈折力を有している。
【０１２０】
第４レンズ群Ｇ４は、物体側より順に、両凸正レンズＬ１０で構成されており、全体で正の屈折力を有している。
【０１２１】
広角端から望遠端へと変倍する際には、第１レンズ群Ｇ１は、物体側へ移動する。第２レンズ群Ｇ２は物体側へ移動した後に像側へ移動する。第３レンズ群Ｇ３は物体側へ移動する。第４レンズ群Ｇ４は像側へ移動する。明るさ絞りＳは、第３レンズ群Ｇ３と共に移動する。
【０１２２】
非球面は、第１レンズ群Ｇ１の両凸正レンズＬ３の両面と、第２レンズ群Ｇ２の両凹負レンズＬ４の両面及び負メニスカスレンズＬ６の像側の面と、第３レンズ群Ｇ３の物体側の両凸正レンズＬ７の両面と、第４レンズ群Ｇ４の両凸正レンズＬ１０の両面と、の９面に設けられている。
【０１２３】
次に、本発明の実施例３にかかるズームレンズについて説明する。図７は本発明の実施例３にかかるズームレンズの無限遠物点合焦時の光学構成を示す光軸に沿う断面図であり、（ａ）は広角端、（ｂ）は中間焦点距離状態、（ｃ）は望遠端での断面図である。
【０１２４】
図８は実施例３にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。図９は、実施例３にかかるズームレンズの無限遠物点合焦時における、像高比0.7の軸外光束のコマ収差（横収差）を示す図であり、（a）は広角端、（b）は中間、（c）は望遠端での状態を示している。
【０１２５】
実施例３のズームレンズは、図７に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、を有している。
【０１２６】
第１レンズ群Ｇ１は、物体側より順に、物体側に凸面を向けた負メニスカスレンズＬ１と物体側に凸面を向けた正メニスカスレンズＬ２と両凸正レンズＬ３との接合レンズで構成されており、全体で正の屈折力を有している。ここで、物体側に凸面を向けた負メニスカスレンズＬ１がＬｃ、物体側に凸面を向けた正メニスカスレンズＬ２がＬA、両凸正レンズＬ３がＬBである。
【０１２７】
第２レンズ群Ｇ２は、物体側より順に、両凹負レンズＬ４と、像側に凸面を向けた正メニスカスレンズＬ５と像側に凸面を向けた負メニスカスレンズＬ６との接合レンズと、で構成されており、全体で負の屈折力を有している。
【０１２８】
第３レンズ群Ｇ３は、物体側より順に、両凸正レンズＬ７と、両凸正レンズＬ８と両凹負レンズＬ９との接合レンズと、で構成されており、全体で正の屈折力を有している。
【０１２９】
第４レンズ群Ｇ４は、物体側より順に、両凸正レンズＬ１０で構成されており、全体で正の屈折力を有している。
【０１３０】
広角端から望遠端へと変倍する際には、第１レンズ群Ｇ１は、物体側へ移動する。第２レンズ群Ｇ２は像側へ移動する。第３レンズ群Ｇ３は物体側へ移動する。第４レンズ群Ｇ４は像側へ移動する。明るさ絞りＳは、第３レンズ群Ｇ３と共に移動する。
【０１３１】
非球面は、第１レンズ群Ｇ１の両凸正レンズＬ３の両面と、第２レンズ群Ｇ２の両凹負レンズＬ４の両面及び負メニスカスレンズＬ６の像側の面と、第３レンズ群Ｇ３の物体側の両凸正レンズＬ７の両面と、第４レンズ群Ｇ４の両凸正レンズＬ１０の両面と、の９面に設けられている。
【０１３２】
次に、本発明の実施例４にかかるズームレンズについて説明する。図１０は本発明の実施例４にかかるズームレンズの無限遠物点合焦時の光学構成を示す光軸に沿う断面図であり、（ａ）は広角端、（ｂ）は中間焦点距離状態、（ｃ）は望遠端での断面図である。
【０１３３】
図１１は実施例４にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。図１２は、実施例４にかかるズームレンズの無限遠物点合焦時における、像高比0.7の軸外光束のコマ収差（横収差）を示す図であり、（a）は広角端、（b）は中間、（c）は望遠端での状態を示している。
【０１３４】
実施例４のズームレンズは、図１０に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、を有している。
【０１３５】
第１レンズ群Ｇ１は、物体側より順に、物体側に凸面を向けた負メニスカスレンズＬ１と物体側に凸面を向けた正メニスカスレンズＬ２と両凸正レンズＬ３との接合レンズで構成されており、全体で正の屈折力を有している。ここで、物体側に凸面を向けた負メニスカスレンズＬ１がＬC、物体側に凸面を向けた正メニスカスレンズＬ２がＬA、両凸正レンズＬ３がＬBである。
【０１３６】
第２レンズ群Ｇ２は、物体側より順に、両凹負レンズＬ４と、両凹負レンズＬ５と、両凸正レンズＬ６と、で構成されており、全体で負の屈折力を有している。
【０１３７】
第３レンズ群Ｇ３は、物体側より順に、両凸正レンズＬ７と、両凸正レンズＬ８と両凹負レンズＬ９との接合レンズと、で構成されており、全体で正の屈折力を有している。
【０１３８】
第４レンズ群Ｇ４は、物体側より順に、両凸正レンズＬ１０で構成されており、全体で正の屈折力を有している。
【０１３９】
広角端から望遠端へと変倍する際には、第１レンズ群Ｇ１は、物体側へ移動する。第２レンズ群Ｇ２は像側へ移動する。第３レンズ群Ｇ３は物体側へ移動する。第４レンズ群Ｇ４は像側へ移動する。明るさ絞りＳは、第３レンズ群Ｇ３と共に移動する。
【０１４０】
非球面は、第１レンズ群Ｇ１の接合レンズの全４面と、第２レンズ群Ｇ２の像側の両凹負レンズＬ５の物体側の面と、第３レンズ群Ｇ３の物体側の両凸正レンズＬ７の両面と、第４レンズ群Ｇ４の両凸正レンズＬ１０の両面と、の９面に設けられている。
【０１４１】
次に、本発明の実施例５にかかるズームレンズについて説明する。図１３は本発明の実施例５にかかるズームレンズの無限遠物点合焦時の光学構成を示す光軸に沿う断面図であり、（ａ）は広角端、（ｂ）は中間焦点距離状態、（ｃ）は望遠端での断面図である。
【０１４２】
図１４は実施例５にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。図１５は、実施例５にかかるズームレンズの無限遠物点合焦時における、像高比0.7の軸外光束のコマ収差（横収差）を示す図であり、（a）は広角端、（b）は中間、（c）は望遠端での状態を示している。
【０１４３】
実施例５のズームレンズは、図１３に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、を有している。
【０１４４】
第１レンズ群Ｇ１は、物体側より順に、物体側に凸面を向けた負メニスカスレンズＬ１と物体側に凸面を向けた正メニスカスレンズＬ２と両凸正レンズＬ３との接合レンズで構成されており、全体で正の屈折力を有している。ここで、物体側に凸面を向けた負メニスカスレンズＬ１がＬC、物体側に凸面を向けた正メニスカスレンズＬ２がＬA、両凸正レンズＬ３がＬBである。
【０１４５】
第２レンズ群Ｇ２は、物体側より順に、両凹負レンズＬ４と、両凹負レンズＬ５と、両凸正レンズＬ６と、で構成されており、全体で負の屈折力を有している。
【０１４６】
第３レンズ群Ｇ３は、物体側より順に、両凸正レンズＬ７と、両凸正レンズＬ８と両凹負レンズＬ９との接合レンズと、で構成されており、全体で正の屈折力を有している。
【０１４７】
第４レンズ群Ｇ４は、物体側より順に、両凸正レンズＬ１０で構成されており、全体で正の屈折力を有している。
【０１４８】
広角端から望遠端へと変倍する際には、第１レンズ群Ｇ１は、物体側へ移動する。第２レンズ群Ｇ２は像側へ移動する。第３レンズ群Ｇ３は物体側へ移動する。第４レンズ群Ｇ４は像側へ移動する。明るさ絞りＳは、第３レンズ群Ｇ３と共に移動する。
【０１４９】
非球面は、第１レンズ群Ｇ１の接合レンズの全４面と、第２レンズ群Ｇ２の像側の両凹負レンズＬ５の物体側の面及び両凸正レンズＬ６の像側の面と、第３レンズ群Ｇ３の物体側の両凸正レンズＬ７の両面と、第４レンズ群Ｇ４の両凸正レンズＬ１０の両面と、の１０面に設けられている。
【０１５０】
次に、本発明の実施例６にかかるズームレンズについて説明する。図１６は本発明の実施例６にかかるズームレンズの無限遠物点合焦時の光学構成を示す光軸に沿う断面図であり、（ａ）は広角端、（ｂ）は中間焦点距離状態、（ｃ）は望遠端での断面図である。
【０１５１】
図１７は実施例６にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。図１８は、実施例６にかかるズームレンズの無限遠物点合焦時における、像高比0.7の軸外光束のコマ収差（横収差）を示す図であり、（a）は広角端、（b）は中間、（c）は望遠端での状態を示している。
【０１５２】
実施例６のズームレンズは、図１６に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、を有している。
【０１５３】
第１レンズ群Ｇ１は、物体側より順に、両凸正レンズＬ１と像側に凸面を向けた正メニスカスレンズＬ２と像側に凸面を向けた負メニスカスレンズＬ３との接合レンズで構成されており、全体で正の屈折力を有している。ここで、両凸正レンズＬ１がＬB、像側に凸面を向けた正メニスカスレンズＬ２がＬA、像側に凸面を向けた負メニスカスレンズＬ３がＬCである。
【０１５４】
第２レンズ群Ｇ２は、物体側より順に、両凹負レンズＬ４と、両凹負レンズＬ５と、両凸正レンズＬ６と、で構成されており、全体で負の屈折力を有している。
【０１５５】
第３レンズ群Ｇ３は、物体側より順に、両凸正レンズＬ７と、両凸正レンズＬ８と両凹負レンズＬ９との接合レンズと、で構成されており、全体で正の屈折力を有している。
【０１５６】
第４レンズ群Ｇ４は、物体側より順に、両凸正レンズＬ１０で構成されており、全体で正の屈折力を有している。
【０１５７】
広角端から望遠端へと変倍する際には、第１レンズ群Ｇ１は、物体側へ移動する。第２レンズ群Ｇ２は像側へ移動する。第３レンズ群Ｇ３は物体側へ移動する。第４レンズ群Ｇ４は像側へ移動する。明るさ絞りＳは、第３レンズ群Ｇ３と共に移動する。
【０１５８】
非球面は、第１レンズ群Ｇ１の接合レンズの全４面と、第２レンズ群Ｇ２の像側の両凹負レンズＬ５の物体側の面と、第３レンズ群Ｇ３の物体側の両凸正レンズＬ７の両面と、第４レンズ群Ｇ４の両凸正レンズＬ１０の両面と、の９面に設けられている。
【０１５９】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、Ｄ０は物体から第１面までの距離をそれぞれ表している。また、*は非球面、STOは絞りをそれぞれ示している。また、ＥＲは有効径である。
【０１６０】
また、非球面形状は、光軸方向をｚ、光軸に直交する方向をｙにとり、円錐係数をＫ、非球面係数をＡ４、Ａ６、Ａ８、Ａ１０としたとき、次の式（Ｉ）で表される。
ｚ＝（ｙ2／ｒ）／［１＋｛１−（１＋Ｋ）（ｙ／ｒ）2｝1/2］＋Ａ４ｙ4＋Ａ６ｙ6＋Ａ８ｙ8＋Ａ１０ｙ10  …（Ｉ）
また、Ｅは１０のべき乗を表している。なお、これら諸元値の記号は後述の実施例の数値データにおいても共通である。
【０１６１】
数値実施例１
単位 mm
面データ
面番号        r            d           nd       νd      ER
物面        ∞           ∞        1.
1*        24.4329      0.9000      1.63259    23.27    9.800
2*        13.5151      0.7000      1.63387    23.38    8.313
3*        15.5349      4.5000      1.53071    55.69    8.196
4*      -150.5720      可変        1.                  8.850
5*      -170.2959      0.8000      1.85075    39.99    6.400
6*         6.6811      3.3800      1.                  4.902
7       -360.2772      1.7900      1.94595    17.98    4.900
8        -17.2372      0.7000      1.74250    49.27    4.786
9*       145.3708      可変        1.                  4.700
10(絞り)     ∞        -0.1000      1.                  2.370
11*         6.1942      3.3200      1.59201    67.02    2.441
12*       -14.8470      0.1400      1.                  2.334
13          7.0355      1.8800      1.49700    81.54    2.229
14         -8.8009      0.3900      1.61293    37.00    1.990
15          3.7945      可変        1.                  1.850
16*        50.7156      2.7200      1.53071    55.69    2.525
17*       -14.2696      可変        1.                  2.906
18           ∞         0.5000      1.51633    64.14    3.517
19           ∞         1.1442      1.                  3.562
像面         ∞
非球面データ
第１面
K=0.,A2=0.0000E+00,A4=3.1468E-05,A6=-5.9023E-07,A8=1.1723E-08,A10=-8.4797E-11,
A12=2.4656E-13
第２面
K=0.,A2=0.0000E+00,A4=2.8642E-05C,A6=-2.6216E-07C,A8=4.6827E-09C,A10=0.0000E+00
第３面
K=0.,A2=0.0000E+00,A4=2.8642E-05C,A6=-2.6216E-07C,A8=4.6827E-09C,A10=0.0000E+00
第４面
K=0.,A2=0.0000E+00,A4=5.3933E-05,A6=-1.2751E-06,A8=3.1232E-08,A10=-3.0957E-10,
A12=1.1730E-12
第５面
K=0.,A2=0.0000E+00,A4=6.3524E-05,A6=-2.8339E-06,A8=3.6915E-08,A10=-2.8285E-10
第６面
K=0.,A2=0.0000E+00,A4=2.0301E-04,A6=7.5190E-06,A8=-2.8692E-07,A10=1.5190E-08,
A12=-7.2399E-10
第９面
K=0.,A2=0.0000E+00,A4=-2.8238E-04,A6=-5.6848E-06,A8=3.2554E-07,A10=-1.1829E-08,
A12=2.1783E-10
第１１面
K=0.,A2=0.0000E+00,A4=-4.8322E-04,A6=-9.7750E-06,A8=9.9438E-07,A10=-1.3067E-07,
A12=4.8714E-09
第１２面
K=0.,A2=0.0000E+00,A4=2.7035E-04,A6=-1.0852E-05,A8=2.1330E-06,A10=-2.6027E-07,
A12=1.0872E-08
第１６面
K=0.,A2=0.0000E+00,A4=5.5915E-05,A6=-8.5746E-07,A8=0.0000E+00,A10=0.0000E+00
第１７面
K=0.,A2=0.0000E+00,A4=3.6509E-05,A6=-1.9851E-06,A8=1.1000E-08,A10=0.0000E+00
〔硝材屈折率テーブル〕・・・ 本実施例にて使用した媒質の波長別屈折率一覧
GLA             587.56   656.27   486.13   435.84   404.66
L10             1.530709 1.527832 1.537361 1.542600 1.546957
L6              1.742499 1.737973 1.753041 1.761385 1.768341
L4              1.850748 1.844454 1.865725 1.877863 1.888186
L3              1.530710 1.527870 1.537400 1.542740 1.547272
L1              1.632590 1.624940 1.652120 1.669410 1.685501
L5              1.945950 1.931230 1.983830 2.018254 2.051063
L7              1.592010 1.589310 1.598140 1.602875 1.606771
L2              1.633870 1.626381 1.653490 1.671610 1.688826
CG              1.516330 1.513855 1.521905 1.526213 1.529768
L8              1.496999 1.495136 1.501231 1.504506 1.507205
L9              1.612929 1.608062 1.624626 1.634335 1.642842
各種データ
ズーム比
広角        中間        望遠
焦点距離        5.15386     15.63405    49.12846
Ｆナンバー      3.0785       5.1267      6.0000
半画角(ω°)   40.3         13.6         4.4
像高            3.84         3.84        3.84
レンズ全長     46.1199      53.4029     65.9798
ＢＦ            1.14420      1.09810     1.13247
d4              0.30000      7.94497    22.62801
d9             16.14566      6.88061     1.65262
d15             2.79032     13.10851    16.94715
d17             4.11966      2.75067     1.99955
ズームレンズ群データ
群    始面   焦点距離
1      1     43.96499
2      5     -7.92989
3     10     10.75267
4     16     21.29271
【０１６２】
数値実施例２
単位 mm
面データ
面番号        r            d           nd       νd      ER
物面          ∞           ∞       1.
1         20.1567      0.9000      1.92286    20.88    9.600
2         14.0746      0.7000      1.63387    23.38    8.628
3*        16.1593      4.5000      1.53071    55.69    8.531
4*       -74.0883      可変        1.                  8.850
5*      -112.6930      0.8000      1.85075    39.99    6.292
6*         6.5111      3.3800      1.                  4.756
7        -47.5091      1.7900      1.94595    17.98    4.900
8        -12.9917      0.7000      1.74250    49.27    4.680
9*      -242.4453      可変        1.                  4.800
10(絞り)      ∞       -0.1000      1.                  2.259
11*         6.2004      3.3200      1.59201    67.02    2.321
12*       -14.8921      0.1400      1.                  2.238
13          7.0766      1.8800      1.49700    81.54    2.171
14         -8.8147      0.3900      1.61293    37.00    1.980
15          3.8261      可変        1.                  1.850
16*        30.5136      2.7200      1.53071    55.69    2.463
17*       -15.4919      可変        1.                  2.832
18            ∞        0.5000      1.51633    64.14    3.507
19            ∞        1.1418      1.                  3.553
像面          ∞
非球面データ
第３面
K=0.,A2=0.0000E+00,A4=-1.2843E-06,A6=-7.4535E-08,A8=9.1174E-11,A10=0.0000E+00
第４面
K=0.,A2=0.0000E+00,A4=9.2320E-06,A6=2.3782E-10,A8=-8.1435E-11,A10=0.0000E+00
第５面
K=0.,A2=0.0000E+00,A4=6.3524E-05,A6=-2.8339E-06,A8=3.6915E-08,A10=-2.8285E-10
第６面
K=0.,A2=0.0000E+00,A4=2.0301E-04,A6=7.5190E-06,A8=-2.8692E-07,A10=1.5190E-08,
A12=-7.2399E-10
第９面
K=0.,A2=0.0000E+00,A4=-2.8238E-04,A6=-5.6848E-06,A8=3.2554E-07,A10=-1.1829E-08,
A12=2.1783E-10
第１１面
K=0.,A2=0.0000E+00,A4=-4.8322E-04,A6=-9.7750E-06,A8=9.9438E-07,A10=-1.3067E-07,
A12=4.8714E-09
第１２面
K=0.,A2=0.0000E+00,A4=2.7035E-04,A6=-1.0852E-05,A8=2.1330E-06,A10=-2.6027E-07,
A12=1.0872E-08
第１６面
K=0.,A2=0.0000E+00,A4=5.5915E-05,A6=-8.5746E-07,A8=0.0000E+00,A10=0.0000E+00
第１７面
K=0.,A2=0.0000E+00,A4=3.6509E-05,A6=-1.9851E-06,A8=1.1000E-08,A10=0.0000E+00
〔硝材屈折率テーブル〕・・・ 本実施例にて使用した媒質の波長別屈折率一覧
GLA             587.56   656.27   486.13   435.84   404.66
L10             1.530709 1.527832 1.537361 1.542600 1.546957
L6              1.742499 1.737973 1.753041 1.761385 1.768341
L4              1.850748 1.844454 1.865725 1.877863 1.888186
L1              1.922860 1.910380 1.954570 1.982810 2.009196
L3              1.530710 1.527870 1.537400 1.542740 1.547272
L5              1.945950 1.931230 1.983830 2.018254 2.051063
L7              1.592010 1.589310 1.598140 1.602875 1.606771
L2              1.633870 1.626381 1.653490 1.671610 1.688826
CG              1.516330 1.513855 1.521905 1.526213 1.529768
L8              1.496999 1.495136 1.501231 1.504506 1.507205
L9              1.612929 1.608062 1.624626 1.634335 1.642842
各種データ
ズーム比
広角        中間        望遠
焦点距離        5.12663    15.63186    49.12611
Ｆナンバー      3.1878      5.5733      6.0000
半画角(ω°)   39.9        13.5         4.3
像高            3.84        3.84        3.84
レンズ全長     44.7537     53.6280     62.9058
ＢＦ            1.14179     1.09897     1.13006
d4              0.30000     7.20636    20.16179
d9             14.75902     7.38303     1.65262
d15             2.44072    14.65318    16.34151
d17             4.49214     1.66638     1.99978
ズームレンズ群データ
群    始面   焦点距離
1     1     38.41042
2     5     -7.28233
3    10     10.74811
4    16     19.76636
【０１６３】
数値実施例３
単位 mm
面データ
面番号        r            d           nd        νd      ER
物面         ∞          ∞         1.
1         20.9546      0.9000       1.92286    20.88    9.600
2         14.4854      0.4000       1.76290    15.80    8.577
3*        15.6035      4.3000       1.58913    61.14    8.509
4*       -89.0292      可変         1.                  8.850
5*      -132.2199      0.8000       1.85075    39.99    6.393
6*         6.5347      3.3800       1.                  4.803
7        -52.8735      1.7900       1.94595    17.98    4.900
8        -12.9704      0.7000       1.74250    49.27    4.686
9*     -3891.4602      可変         1.                  4.600
10(絞り)      ∞       -0.1000       1.                  2.178
11*         6.2555      3.3200       1.59201    67.02    2.231
12*       -14.4494      0.1400       1.                  2.153
13          7.6847      1.8800       1.49700    81.54    2.077
14         -8.5769      0.3900       1.61293    37.00    1.845
15          3.9572      可変         1.                  1.750
16*        32.0481      2.7200       1.53071    55.69    2.418
17*       -15.6471      可変         1.                  2.792
18            ∞        0.5000       1.51633    64.14    3.496
19            ∞        1.1410       1.                  3.543
像面          ∞
非球面データ
第３面
K=0.,A2=0.0000E+00,A4=9.7622E-07,A6=-3.9902E-08,A8=1.1419E-10,A10=0.0000E+00
第４面
K=0.,A2=0.0000E+00,A4=9.7366E-06,A6=-1.3569E-09,A8=-7.3058E-11,A10=0.0000E+00
第５面
K=0.,A2=0.0000E+00,A4=6.3524E-05,A6=-2.8339E-06,A8=3.6915E-08,A10=-2.8285E-10
第６面
K=0.,A2=0.0000E+00,A4=2.0301E-04,A6=7.5190E-06,A8=-2.8692E-07,A10=1.5190E-08,
A12=-7.2399E-10
第９面
K=0.,A2=0.0000E+00,A4=-2.8238E-04,A6=-5.6848E-06,A8=3.2554E-07,A10=-1.1829E-08,
A12=2.1783E-10
第１１面
K=0.,A2=0.0000E+00,A4=-4.8322E-04,A6=-9.7750E-06,A8=9.9438E-07,A10=-1.3067E-07,
A12=4.8714E-09
第１２面
K=0.,A2=0.0000E+00,A4=2.7035E-04,A6=-1.0852E-05,A8=2.1330E-06,A10=-2.6027E-07,
A12=1.0872E-08
第１６面
K=0.,A2=0.0000E+00,A4=5.5915E-05,A6=-8.5746E-07,A8=0.0000E+00,A10=0.0000E+00
第１７面
K=0.,A2=0.0000E+00,A4=3.6509E-05,A6=-1.9851E-06,A8=1.1000E-08,A10=0.0000E+00
〔硝材屈折率テーブル〕・・・ 本実施例にて使用した媒質の波長別屈折率一覧
GLA               587.56   656.27   486.13   435.84   404.66
L10               1.530709 1.527832 1.537361 1.542600 1.546957
L6                1.742499 1.737973 1.753041 1.761385 1.768341
L4                1.850748 1.844454 1.865725 1.877863 1.888186
L2                1.762905 1.750038 1.798323 1.832460 1.866689
L1                1.922860 1.910380 1.954570 1.982810 2.009196
L5                1.945950 1.931230 1.983830 2.018254 2.051063
L7                1.592010 1.589310 1.598140 1.602875 1.606771
L3                1.589130 1.586188 1.595824 1.601033 1.605348
CG                1.516330 1.513855 1.521905 1.526213 1.529768
L8                1.496999 1.495136 1.501231 1.504506 1.507205
L9                1.612929 1.608062 1.624626 1.634335 1.642842
各種データ
ズーム比
広角        中間        望遠
焦点距離        5.09581    15.62943    49.14170
Ｆナンバー      3.3586      5.7006      6.0000
半画角(ω°)   39.7        13.4         4.3
像高            3.84        3.84        3.84
レンズ全長     45.7812     53.5091     59.7567
ＢＦ            1.14100     1.09669     1.12424
d4              0.30000     6.92749    18.45147
d9             16.05803     7.99379     1.65262
d15             2.58087    14.24523    15.40845
d17             4.58126     2.12588     1.99991
ズームレンズ群データ
群    始面   焦点距離
1      1     35.17103
2      5     -7.27035
3     10     11.08490
4     16     20.21055
【０１６４】
数値実施例４
単位 mm
面データ
面番号        r            d           nd       νd      ER
物面          ∞          ∞        1.
1*        30.1009      0.9000      1.63259    23.27    9.800
2*        13.6893      0.5000      1.76635    16.01    8.361
3*        15.2103      4.5000      1.53071    55.69    8.294
4*       -59.1036      0.3000      1.                  8.700
5        -70.3607      0.8000      1.88300    40.76    6.410
6          7.6135      3.0000      1.                  5.049
7*       -15.6256      0.7000      1.53071    55.69    5.000
8         27.4777      0.1500      1.                  5.001
9         19.6295      1.5000      1.92286    20.88    5.044
10        -79.8890      可変        1.                  5.000
11(絞り)      ∞       -0.1000      1.                  2.399
12*         5.9746      3.3200      1.59201    67.02    2.543
13*       -17.2995      0.1400      1.                  2.700
14          8.1319      1.8800      1.49700    81.54    2.531
15         -8.6499      0.3900      1.61293    37.00    2.361
16          3.8450      可変        1.                  2.199
17*        24.1576      2.7200      1.53071    55.69    2.833
18*       -16.6977      可変        1.                  3.119
19            ∞        0.5000      1.51633    64.14    3.551
20            ∞        1.1413      1.                  3.582
像面          ∞
非球面データ
第１面
K=0.,A2=0.0000E+00,A4=-9.7030E-06,A6=8.4272E-08,A8=-7.4561E-10,A10=9.8431E-13
第２面
K=0.,A2=0.0000E+00,A4=2.3628E-06C,A6=-1.8792E-07C,A8=3.5035E-10C,A10=0.0000E+00
第３面
K=0.,A2=0.0000E+00,A4=2.3628E-06C,A6=-1.8792E-07C,A8=3.5035E-10C,A10=0.0000E+00
第４面
K=0.,A2=0.0000E+00,A4=-6.7379E-06,A6=2.4935E-07,A8=-2.5725E-09,A10=8.1302E-12
第７面
K=0.,A2=0.0000E+00,A4=2.0880E-04,A6=-8.0754E-06,A8=3.9399E-07,A10=-4.5731E-09
第１２面
K=0.,A2=0.0000E+00,A4=-4.8322E-04,A6=-9.7750E-06,A8=9.9438E-07,A10=-1.3067E-07,
A12=4.8714E-09
第１３面
K=0.,A2=0.0000E+00,A4=2.7035E-04,A6=-1.0852E-05,A8=2.1330E-06,A10=-2.6027E-07,
A12=1.0872E-08
第１７面
K=0.,A2=0.0000E+00,A4=5.5915E-05,A6=-8.5746E-07,A8=0.0000E+00,A10=0.0000E+00
第１８面
K=0.,A2=0.0000E+00,A4=3.6509E-05,A6=-1.9851E-06,A8=1.1000E-08,A10=0.0000E+00
〔硝材屈折率テーブル〕・・・ 本実施例にて使用した媒質の波長別屈折率一覧
GLA              587.56   656.27   486.13   435.84   404.66
L10              1.530709 1.527832 1.537361 1.542600 1.546957
L2               1.766350 1.753370 1.801250 1.834520 1.867677
L6               1.922860 1.910380 1.954570 1.982810 2.009196
L3,L5            1.530710 1.527870 1.537400 1.542740 1.547272
L1               1.632590 1.624940 1.652120 1.669410 1.685501
L7               1.592010 1.589310 1.598140 1.602875 1.606771
CG               1.516330 1.513855 1.521905 1.526213 1.529768
L8               1.496999 1.495136 1.501231 1.504506 1.507205
L4               1.882997 1.876560 1.898221 1.910495 1.920919
L9               1.612929 1.608062 1.624626 1.634335 1.642842
各種データ
ズーム比
広角        中間        望遠
焦点距離        5.08452    15.62671     49.11891
Ｆナンバー      3.1097      5.1351       6.0000
半画角(ω°)   39.8        13.3          4.3
像高            3.84        3.84         3.84
レンズ全長     48.2215     55.4532      65.7406
ＢＦ            1.14128     1.11049      1.14882
d4              0.30000     8.36476     21.81089
d10            18.67621     8.35963      1.65262
d16             2.87946    13.67354     17.63930
d18             4.32454     3.04471      2.58889
ズームレンズ群データ
群    始面   焦点距離
1      1     41.86937
2      5     -8.65012
3     11     11.94923
4     17     19.04355
【０１６５】
数値実施例５
単位 mm
面データ
面番号        r            d           nd        νd      ER
物面          ∞           ∞        1.
1*        27.0225      0.9000       1.63259    23.27    9.600
2*        13.5396      0.6000       1.67096    20.10    8.373
3*        15.3860      4.5000       1.53071    55.69    8.294
4*       -64.8130      可変         1.                  8.850
5        -77.1575      0.8000       1.88300    40.76    6.323
6          7.2016      3.0000       1.                  4.932
7*       -12.1442      0.7000       1.53071    55.69    5.000
8         23.1060      0.1500       1.                  4.947
9         13.0512      2.4000       1.63259    23.27    5.059
10*       -28.6151      可変         1.                  5.000
11(絞り)      ∞       -0.1000       1.                  2.388
12*         5.8787      3.3200       1.59201    67.02    2.527
13*       -18.5370      0.1400       1.                  2.700
14          8.6061      1.8800       1.49700    81.54    2.491
15         -8.1549      0.3900       1.61293    37.00    2.321
16          3.8550      可変         1.                  2.166
17*        25.8862      2.7200       1.53071    55.69    2.803
18*       -16.7193      可変         1.                  3.090
19            ∞        0.5000       1.51633    64.14    3.560
20            ∞        1.1407       1.                  3.591
像面          ∞
非球面データ
第１面
K=0.,A2=0.0000E+00,A4=-1.0963E-05,A6=4.4607E-09,A8=-3.1488E-10,A10=-1.1206E-12
第２面
K=0.,A2=0.0000E+00,A4=-1.0382E-05C,A6=-1.0466E-07C,A8=-1.0219E-09C,
A10=0.0000E+00
第3面
K=0.,A2=0.0000E+00,A4=-1.0382E-05C,A6=-1.0466E-07C,A8=-1.0219E-09C,
A10=0.0000E+00
第４面
K=0.,A2=0.0000E+00,A4=-6.9795E-06,A6=8.6188E-08,A8=-1.1037E-09,A10=2.1199E-12
第７面
K=0.,A2=0.0000E+00,A4=4.2067E-04,A6=-7.6616E-06,A8=3.5343E-07,A10=-4.8820E-09
第１０面
K=0.,A2=0.0000E+00,A4=1.8001E-04,A6=-1.7643E-06,A8=0.0000E+00,A10=0.0000E+00
第１２面
K=0.,A2=0.0000E+00,A4=-4.8322E-04,A6=-9.7750E-06,A8=9.9438E-07,A10=-1.3067E-07,
A12=4.8714E-09
第１３面
K=0.,A2=0.0000E+00,A4=2.7035E-04,A6=-1.0852E-05,A8=2.1330E-06,A10=-2.6027E-07,
A12=1.0872E-08
第１７面
K=0.,A2=0.0000E+00,A4=5.5915E-05,A6=-8.5746E-07,A8=0.0000E+00,A10=0.0000E+00
第１８面
K=0.,A2=0.0000E+00,A4=3.6509E-05,A6=-1.9851E-06,A8=1.1000E-08,A10=0.0000E+00
各種データ
ズーム比
広角        中間        望遠
焦点距離        5.08343    15.62716    49.12567
Ｆナンバー      3.2638      5.3648      6.0000
半画角(ω°)   40.1        13.5         4.3
像高            3.84        3.84        3.84
レンズ全長     49.9358     57.5896     65.7397
ＢＦ            1.14068     1.11562     1.14060
d4              0.30000     8.56917    21.46245
d10            18.93540     8.78730     1.65262
d16             2.94224    14.17999    17.04761
d18             4.71747     3.03751     2.53636
〔硝材屈折率テーブル〕・・・ 本実施例にて使用した媒質の波長別屈折率一覧
GLA               587.56   656.27   486.13   435.84   404.66
L10               1.530709 1.527832 1.537361 1.542600 1.546957
L2                1.670957 1.661828 1.695207 1.718105 1.740609
L3,L5             1.530710 1.527870 1.537400 1.542740 1.547272
L1,L6             1.632590 1.624940 1.652120 1.669410 1.685501
L7                1.592010 1.589310 1.598140 1.602875 1.606771
CG                1.516330 1.513855 1.521905 1.526213 1.529768
L8                1.496999 1.495136 1.501231 1.504506 1.507205
L4                1.882997 1.876560 1.898221 1.910495 1.920919
L9                1.612929 1.608062 1.624626 1.634335 1.642842
ズームレンズ群データ
群    始面   焦点距離
1      1     40.18598
2      5     -8.52135
3     11     12.48383
4     17     19.57425
【０１６６】
数値実施例６
単位 mm
面データ
面番号        r            d           nd        νd      ER
物面          ∞           ∞       1.
1*        42.0598      4.5000      1.62263    58.16   10.500
2*       -28.3400      0.7000      1.63387    23.38    9.273
3*       -21.2551      0.9000      1.63259    23.27    9.182
4*       -62.7493      可変        1.                  9.500
5       -304.8193      0.8000      1.88300    40.76    6.441
6          7.8954      3.0000      1.                  5.047
7*       -12.7827      0.7000      1.53071    55.69    5.000
8         20.9250      0.1500      1.                  4.999
9         18.2416      1.5000      1.92286    20.88    5.033
10        -83.3255      可変        1.                  5.000
11(絞り)      ∞       -0.1000      1.                  2.357
12*         5.9884      3.3200      1.59201    67.02    2.496
13*       -16.7858      0.1400      1.                  2.700
14          8.2521      1.8800      1.49700    81.54    2.509
15         -8.1325      0.3900      1.61293    37.00    2.350
16          3.9285      可変        1.                  2.200
17*        18.7406      2.7200      1.53071    55.69    2.889
18*       -21.1057      可変        1.                  3.146
19            ∞        0.5000      1.51633    64.14    3.557
20            ∞        1.1410      1.                  3.589
像面          ∞
非球面データ
第１面
K=0.,A2=0.0000E+00,A4=-8.4183E-06,A6=-2.9098E-08,A8=1.1257E-09,A10=-8.1031E-12
第２面
K=0.,A2=0.0000E+00,A4=-8.6474E-06C,A6=4.0499E-07C,A8=-2.4882E-09C,A10=0.0000E+00
第３面
K=0.,A2=0.0000E+00,A4=-8.6474E-06C,A6=4.0499E-07C,A8=-2.4882E-09C,A10=0.0000E+00
第４面
K=0.,A2=0.0000E+00,A4=-4.3372E-06,A6=2.7560E-08,A8=9.2564E-10,A10=-1.0355E-11
第７面
K=0.,A2=0.0000E+00,A4=1.5270E-04,A6=-1.2247E-05,A8=3.9270E-07,A10=-4.7424E-09
第１２面
K=0.,A2=0.0000E+00,A4=-4.8322E-04,A6=-9.7750E-06,A8=9.9438E-07,A10=-1.3067E-07,
A12=4.8714E-09
第１３面
K=0.,A2=0.0000E+00,A4=2.7035E-04,A6=-1.0852E-05,A8=2.1330E-06,A10=-2.6027E-07,
A12=1.0872E-08
第１７面
K=0.,A2=0.0000E+00,A4=5.5915E-05,A6=-8.5746E-07,A8=0.0000E+00,A10=0.0000E+00
第１８面
K=0.,A2=0.0000E+00,A4=3.6509E-05,A6=-1.9851E-06,A8=1.1000E-08,A10=0.0000E+00
〔硝材屈折率テーブル〕・・・ 本実施例にて使用した媒質の波長別屈折率一覧
GLA               587.56   656.27   486.13   435.84   404.66
L10               1.530709 1.527832 1.537361 1.542600 1.546957
L6                1.922860 1.910380 1.954570 1.982810 2.009196
L5                1.530710 1.527870 1.537400 1.542740 1.547272
L3                1.632590 1.624940 1.652120 1.669410 1.685501(LC)
L1                1.622630 1.619350 1.630050 1.635825 1.640604(LB)
L7                1.592010 1.589310 1.598140 1.602875 1.606771
L2                1.633870 1.626381 1.653490 1.671610 1.688826(LA)
CG                1.516330 1.513855 1.521905 1.526213 1.529768
L8                1.496999 1.495136 1.501231 1.504506 1.507205
L4                1.882997 1.876560 1.898221 1.910495 1.920919
L9                1.612929 1.608062 1.624626 1.634335 1.642842
各種データ
ズーム比
広角        中間        望遠
焦点距離        5.08346    15.62771     49.12252
Ｆナンバー      3.1288      5.1902       6.0000
半画角(ω°)   39.9        13.3          4.3
像高            3.84        3.84         3.84
レンズ全長     48.1498     55.4423      65.7382
ＢＦ            1.14104     0.99104      1.12559
d4              0.30000     8.25991     21.79488
d10            18.52412     8.40671      1.65262
d16             2.98123    13.84760     17.56595
d18             4.10340     2.83699      2.49911
ズームレンズ群データ
群    始面   焦点距離
1      1     41.65787
2      5     -8.62150
3     11     11.78949
4     17     19.15758
【０１６７】
次に、各実施例における条件式の値を掲げる。
実施例１  実施例２  実施例３  実施例４  実施例５  実施例６
ｆw(広角端)          5.154     5.127     5.096     5.085     5.083     5.083
ｆs(中間)           15.634    15.632    15.629    15.627    15.627    15.628
ｆt(望遠端)         49.129    49.126    49.142    49.119    49.126    49.123
ｙ10                 3.84      3.80      3.76      3.76      3.80      3.76
γ                   9.532     9.582     9.643     9.660     9.665     9.664
νd1                23.38     23.38     15.80     16.01     20.10     23.38
νd2                55.69     55.69     61.14     55.69     55.69     58.16
νd2−νd1          32.31     32.31     45.34     39.68     35.59     34.78
θgF1                0.6684    0.6684    0.7070    0.6949    0.6860    0.6684
βgF                 0.8007    0.8007    0.7964    0.7855    0.7998    0.8007
θhg1                0.6351    0.6351    0.7089    0.6925    0.6742    0.6351
βhg1                0.8301    0.8301    0.8407    0.8260    0.8418    0.8301
a                    2.801     2.764     2.730     2.738     2.799     2.740
ｈ(=3.0*a)           8.403     8.292     8.190     8.214     8.397     8.220
RA                  15.535    16.159    15.604    15.210    15.386   -28.340
ΔzA(h)              0.16692  -0.02826  -0.00534  -0.03970  -0.11356   0.03359
ΔzB(h)              0.19837   0.04190   0.04192   0.00397  -0.02807  -0.03536
ΔzC(h)              0.12224   0.00000   0.00000  -0.03236  -0.06268  -0.00659
P1                   1.911e-3 -1.209e-3 -0.338e-3 -0.458e-3 -2.531e-3  1.719e-3
P2                  -0.565e-3 -1.260e-3 -0.773e-3 -0.642e-3 -1.535e-3  1.186e-3
(P-P2)/y10           6.448e-4  0.134e-4  1.157e-4  0.489e-4 -2.621e-4  1.418e-4
νd1−νd3           0.11      2.50     -5.08     -7.26     -3.17      0.11
θgF3                0.6361    0.6389    0.6389    0.6361    0.6361    0.6361
θgF1-θgF3          0.0323    0.0295    0.0681    0.0588    0.0499    0.0323
ΔnAB                0.10316   0.10316   0.17377   0.23564   0.14025   0.01124
ΔnAC                0.00128  -0.28899  -0.15996   0.13376   0.03837   0.00128
fw/R1r              -0.03423  -0.06920  -0.05724  -0.08603  -0.07843  -0.08100
(R21F+R21R)/(R21F-R21R) 0.92450   0.89076   0.90581   0.80472   0.82926  0.94950
fw/R2BR               0.03545  -0.02115  -0.00131    --        --      --
(R22R+R23F)/(R22R-R23F) --        --        --        6.0023    3.5960  14.5959
R23F/R22R               --        --        --        0.71438   0.56484  0.87176
(R22F+R22R)/(R22F-R22R) --        --        --       -0.27497  -0.31097 -0.24156
(R23F+R23R)/(R23F-R23R) --        --        --       -0.60551  -0.37354 -0.64080
(R3NF-R3NR)/(R3NF+R3NR) 0.29926   0.29814   0.32018   0.35793   0.38127  0.35496
(RRF+RRR)/(RRF-RRR)     0.56084   0.32652   0.34387   0.18259   0.21516 -0.05936
R3r/R4f                 0.07482   0.12539   0.12348   0.15916   0.14892  0.20963
【０１６８】
さて、以上のような本発明のズームレンズは、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０１６９】
図１９〜図２１に本発明によるズームレンズをデジタルカメラの撮影光学系４１に組み込んだ構成の概念図を示す。図１９はデジタルカメラ４０の外観を示す前方斜視図、図２０は同後方斜視図、図２１はデジタルカメラ４０の光学構成を示す断面図である。
【０１７０】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１のズームレンズ４８を通して撮影が行われる。
【０１７１】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０１７２】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Eに導く接眼光学系５９が配置されている。
【０１７３】
このように構成されたデジタルカメラ４０によれば、撮影光学系４１の構成枚数を少なくした小型化・薄型化のズームレンズを有する電子撮像装置が実現できる。なお、本発明は、上述した沈胴式のデジタルカメラに限られず、屈曲光学系を採用する折り曲げ式のデジタルカメラにも適用できる。
【０１７４】
次に、本発明のズームレンズが対物光学系として内蔵された情報処理装置の一例であるパソコンを図２２〜図２４に示す。図２２はパソコン３００のカバーを開いた状態の前方斜視図、図２３はパソコン３００の撮影光学系３０３の断面図、図２４は図２２の側面図である。図２２〜図２４に示されるように、パソコン３００は、キーボード３０１と、情報処理手段や記録手段と、モニター３０２と、撮影光学系３０３とを有している。
【０１７５】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０１７６】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。
【０１７７】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される。図２２には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０１７８】
次に、本発明のズームレンズが撮影光学系として内蔵された情報処理装置の一例である電話、特に持ち運びに便利な携帯電話を図２５に示す。図２５（a）は携帯電話４００の正面図、図２５（b）は側面図、図２５（c）は撮影光学系４０５の断面図である。図２５（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０１７９】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０１８０】
ここで、モニター４０４は液晶表示素子である。また、図中、各構成の配置位置、特にこれらに限られない。この撮影光学系４０５は、撮影光路４０７上に配された対物光学系１００と、物体像を受光する電子撮像素子チップ１６２とを有している。対物光学系１００としては、例えば実施例１のズームレンズが用いられる。これらは、携帯電話４００に内蔵されている。
【０１８１】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０１８２】
なお、本発明は、その趣旨を逸脱しない範囲で様々な変形例をとることができる。
【産業上の利用可能性】
【０１８３】
以上のように、本発明に係る結像光学系及びそれを有する電子撮像装置は、結像光学系の高変倍率化、薄型化、及び、高性能化、並びに、電子撮像装置の薄型化に有用である。
【符号の説明】
【０１８４】
Ｇ１          第１レンズ群
Ｇ２          第２レンズ群
Ｇ３          第３レンズ群
Ｇ４          第４レンズ群
Ｌ１〜Ｌ１０  各レンズ
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          ズームレンズ
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
2011065070.tif 000003
【図２】
2011065070.tif 000004
【図３】
2011065070.tif 000005
【図４】
2011065070.tif 000006
【図５】
2011065070.tif 000007
【図６】
2011065070.tif 000008
【図７】
2011065070.tif 000009
【図８】
2011065070.tif 000010
【図９】
2011065070.tif 000011
【図１０】
2011065070.tif 000012
【図１１】
2011065070.tif 000013
【図１２】
2011065070.tif 000014
【図１３】
2011065070.tif 000015
【図１４】
2011065070.tif 000016
【図１５】
2011065070.tif 000017
【図１６】
2011065070.tif 000018
【図１７】
2011065070.tif 000019
【図１８】
2011065070.tif 000020
【図１９】
2011065070.tif 000021
【図２０】
2011065070.tif 000022
【図２１】
2011065070.tif 000023
【図２２】
2011065070.tif 000024
【図２３】
2011065070.tif 000025
【図２４】
2011065070.tif 000026
【図２５】
2011065070.tif 000027